(57)【特許請求の範囲】
【請求項１】
バラ貨幣を収納するとともに収納されているバラ貨幣を繰出可能なバラ貨幣収納部と、
前記バラ貨幣収納部から送られた所定枚数のバラ貨幣を包装する包装貨幣作成部と、
包装貨幣を収納するとともに収納されている包装貨幣を繰出可能な包装貨幣収納部と、
包装貨幣を筐体の外部に払い出すための包装貨幣払出部と、
包装貨幣を含む出金要求を受け付けると、包装貨幣を前記包装貨幣収納部から繰り出して前記包装貨幣払出部に送るとともに、バラ貨幣を前記バラ貨幣収納部から繰り出して前記包装貨幣作成部に送り、当該包装貨幣作成部において所定枚数ずつバラ貨幣を包装することにより包装貨幣を作成し、作成された包装貨幣を前記包装貨幣払出部により前記筐体の外部に払い出すことができるよう各構成部材の制御を行う制御部と、
を備え、
前記制御部は、前記包装貨幣収納部から前記包装貨幣払出部に送られた包装貨幣と、前記包装貨幣作成部により作成された包装貨幣とを区別して前記包装貨幣払出部により前記筐体の外部に払い出す、貨幣処理装置。
【請求項２】
前記制御部は、前記包装貨幣収納部から前記包装貨幣払出部に送られた包装貨幣と、前記包装貨幣作成部により作成された包装貨幣とを払い出すタイミングまたは払い出し箇所を互いに異なるものとする、請求項１記載の貨幣処理装置。
【請求項３】
前記包装貨幣収納部から前記包装貨幣払出部に送られた包装貨幣と、前記包装貨幣作成部により作成された包装貨幣とを区別して前記筐体の外部に払い出すことを報知する第１報知手段を更に備えた、請求項１または２記載の貨幣処理装置。
【請求項４】
包装貨幣に係る異常を検出する異常検出手段と、
前記異常検出手段により異常が検出された後に当該異常が解除された場合に、前記筐体の外部に取り出された包装貨幣を前記筐体の内部に戻す箇所を報知する第２報知手段と、
を更に備え、
前記異常検出手段により異常が検出されたタイミングに応じて、前記第２報知手段により報知される、前記筐体の外部に取り出された包装貨幣を前記筐体の内部に戻す箇所が異なるようになっている、請求項１乃至３のいずれか一項に記載の貨幣処理装置。
【請求項５】
前記制御部は、前記出金要求に基づいて特定される出金されるべきある金種の包装貨幣の数が、前記包装貨幣収納部に収納されている当該金種の包装貨幣の数よりも多い場合においてのみ、この金種の不足分のバラ貨幣を前記バラ貨幣収納部から繰り出して前記包装貨幣作成部に送るよう各構成部材の制御を行う、請求項１乃至４のいずれか一項に記載の貨幣処理装置。
【請求項６】
前記出金要求に基づいて特定される出金されるべきある金種の包装貨幣の数から、前記包装貨幣収納部に収納されている当該金種の包装貨幣の数を差し引いた数が所定数以上である場合に警告を行う警告手段を更に備えた、請求項１乃至５のいずれか一項に記載の貨幣処理装置。
【請求項７】
前記出金要求に基づいて特定される出金されるべきある金種の包装貨幣の数が、前記包装貨幣収納部に収納されている当該金種の包装貨幣の数よりも多い場合において、この金種の不足分の包装貨幣に相当するバラ貨幣の数が前記バラ貨幣収納部に収納されている当該金種のバラ貨幣の数よりも多いときには、出金される包装貨幣の数が不足する旨の情報を報知する第３報知手段を更に備えた、請求項１乃至６のいずれか一項に記載の貨幣処理装置。
【請求項８】
前記制御部は、前記出金要求に基づいて特定される出金されるべきある金種の包装貨幣の数が、前記包装貨幣収納部に収納されている当該金種の包装貨幣の数よりも多い場合において、この金種の不足分の包装貨幣に相当するバラ貨幣の数が前記バラ貨幣収納部に収納されている当該金種のバラ貨幣の数よりも多いときには、この金種の不足分のバラ貨幣を前記バラ貨幣収納部から繰り出して前記包装貨幣作成部に送るような動作を行わないようになっている、請求項１乃至７のいずれか一項に記載の貨幣処理装置。
【請求項９】
バラ貨幣を収納するとともに収納されているバラ貨幣を繰出可能なバラ貨幣収納部、前記バラ貨幣収納部から送られた所定枚数のバラ貨幣を包装する包装貨幣作成部、包装貨幣を収納するとともに収納されている包装貨幣を繰出可能な包装貨幣収納部、および包装貨幣を筐体の外部に払い出すための包装貨幣払出部を有する貨幣処理装置と、
前記貨幣処理装置とは別に設けられ、当該貨幣処理装置の管理を行う管理装置と、
を備えた貨幣処理システムであって、
包装貨幣を含む出金要求を受け付けると、包装貨幣を前記包装貨幣収納部から繰り出して前記包装貨幣払出部に送るとともに、バラ貨幣を前記バラ貨幣収納部から繰り出して前記包装貨幣作成部に送り、当該包装貨幣作成部において所定枚数ずつバラ貨幣を包装することにより包装貨幣を作成し、作成された包装貨幣を前記包装貨幣払出部により前記筐体の外部に払い出すことができるよう前記貨幣処理装置の各構成部材の制御を行う制御部を備え、
前記制御部は、前記包装貨幣収納部から前記包装貨幣払出部に送られた包装貨幣と、前記包装貨幣作成部により作成された包装貨幣とを区別して前記包装貨幣払出部により前記筐体の外部に払い出す、貨幣処理システム。
【請求項１０】
前記制御部が前記管理装置に設けられている、請求項９記載の貨幣処理システム。
【請求項１１】
バラ貨幣収納部と、包装貨幣作成部と、包装貨幣収納部と、包装貨幣払出部とを有する貨幣処理装置による貨幣処理方法であって、
包装貨幣を含む出金要求を受け付ける工程と、
包装貨幣を含む出金要求が受け付けられると、包装貨幣を前記包装貨幣収納部から繰り出して前記包装貨幣払出部に送る工程と、
包装貨幣を含む出金要求が受け付けられると、任意で、バラ貨幣を前記バラ貨幣収納部から繰り出して前記包装貨幣作成部に送り、当該包装貨幣作成部において所定枚数ずつバラ貨幣を包装することにより包装貨幣を作成し、作成された包装貨幣と、前記包装貨幣収納部から前記包装貨幣払出部に送られた包装貨幣とを区別して当該包装貨幣払出部により筐体の外部に払い出す工程と、
を備えた、貨幣処理方法。
【請求項１２】
前記出金要求に基づいて特定される出金されるべきある金種の包装貨幣の数が、前記包装貨幣収納部に収納されている当該金種の包装貨幣の数よりも多い場合においてのみ、この金種の不足分のバラ貨幣を前記バラ貨幣収納部から繰り出して前記包装貨幣作成部に送り、当該包装貨幣作成部において所定枚数ずつバラ貨幣を包装することにより包装貨幣を作成し、作成された包装貨幣を前記包装貨幣払出部により筐体の外部に払い出す、請求項１１記載の貨幣処理方法。
【発明の詳細な説明】
【技術分野】
【０００１】
本発明は、帯封紙幣や包装硬貨等の包装貨幣の出金処理を行う貨幣処理装置、このような貨幣処理装置を備えた貨幣処理システムおよびこのような貨幣処理装置による貨幣処理方法に関する。
【背景技術】
【０００２】
バラ紙幣やバラ硬貨等のバラ貨幣を帯封または包装して帯封紙幣や包装硬貨等の包装貨幣を作成するような貨幣処理装置として従来から様々なタイプのものが知られている（例えば、特許文献１等参照）。特許文献１に開示される貨幣処理装置では、バラ貨幣および包装貨幣を金種別にバラ貨幣収納部や包装貨幣収納部に収納し、出金要求に応じて収納されているバラ貨幣および包装貨幣をそれぞれ出金するようになっている。また、特許文献１に開示される貨幣処理装置では、バラ貨幣収納部に収納されているバラ貨幣の数が所定数以上になると、バラ貨幣収納部からバラ貨幣を繰り出して包装貨幣作成部に送り、当該包装貨幣作成部において所定枚数ずつバラ貨幣を包装して包装貨幣を作成し、作成された包装貨幣を包装貨幣収納部に収納させるようになっている。このことにより、バラ貨幣収納部においてバラ貨幣を収納するための十分な空きスペースを確保することができるようになる。
【先行技術文献】
【特許文献】
【０００３】
【特許文献１】特許第５４７４４５９号
【発明の概要】
【発明が解決しようとする課題】
【０００４】
特許文献１に開示されるような従来の貨幣処理装置では、包装貨幣を出金する際に、包装貨幣収納部に収納されている包装貨幣の数が不足する場合には、包装貨幣の補充要求が出力される。包装貨幣の補充要求が出力されると、包装貨幣の出金処理を行っていた係員等の操作者とは別の出納係が包装貨幣を貨幣処理装置に持ってきて当該貨幣処理装置で包装貨幣の補充処理（言い換えると、割込装填処理）を行うようになる。この場合には、包装貨幣の出金処理を行っていた係員等の操作者は包装貨幣の補充処理が終了するまで長い間待たなければならないという問題がある。とりわけ、出納係が包装貨幣の補充処理をすぐに行うことができない場合には、包装貨幣の出金処理を行っていた係員等の操作者の待ち時間が更に長くなってしまう。
【０００５】
本発明は、このような点を考慮してなされたものであり、出金されるべきある金種の包装貨幣を出金できない場合に、出納係による要因解除処理を行わなくても出金要求に係る包装貨幣を筐体の外部に払い出すことができるため包装貨幣の出金処理を行う操作者を長い間待たせてしまうことを防止することができる貨幣処理装置、貨幣処理システムおよび貨幣処理方法を提供することを目的とする。
【課題を解決するための手段】
【０００９】
本発明の貨幣処理装置は、バラ貨幣を収納するとともに収納されているバラ貨幣を繰出可能なバラ貨幣収納部と、前記バラ貨幣収納部から送られた所定枚数のバラ貨幣を包装する包装貨幣作成部と、包装貨幣を収納するとともに収納されている包装貨幣を繰出可能な包装貨幣収納部と、包装貨幣を筐体の外部に払い出すための包装貨幣払出部と、包装貨幣を含む出金要求を受け付けると、包装貨幣を前記包装貨幣収納部から繰り出して前記包装貨幣払出部に送るとともに、バラ貨幣を前記バラ貨幣収納部から繰り出して前記包装貨幣作成部に送り、当該包装貨幣作成部において所定枚数ずつバラ貨幣を包装することにより包装貨幣を作成し、作成された包装貨幣を前記包装貨幣払出部により前記筐体の外部に払い出すことができるよう各構成部材の制御を行う制御部と、を備え、前記制御部は、前記包装貨幣収納部から前記包装貨幣払出部に送られた包装貨幣と、前記包装貨幣作成部により作成された包装貨幣とを区別して前記包装貨幣払出部により前記筐体の外部に払い出すことを特徴とする。
【００１０】
本発明の貨幣処理装置においては、前記制御部は、前記包装貨幣収納部から前記包装貨幣払出部に送られた包装貨幣と、前記包装貨幣作成部により作成された包装貨幣とを払い出すタイミングまたは払い出し箇所を互いに異なるものとするようになっていてもよい。
【００１１】
また、本発明の貨幣処理装置は、前記包装貨幣収納部から前記包装貨幣払出部に送られた包装貨幣と、前記包装貨幣作成部により作成された包装貨幣とを区別して前記筐体の外部に払い出すことを報知する第１報知手段を更に備えていてもよい。
【００１２】
また、本発明の貨幣処理装置は、包装貨幣に係る異常を検出する異常検出手段と、前記異常検出手段により異常が検出された後に当該異常が解除された場合に、前記筐体の外部に取り出された包装貨幣を前記筐体の内部に戻す箇所を報知する第２報知手段と、を更に備え、前記異常検出手段により異常が検出されたタイミングに応じて、前記第２報知手段により報知される、前記筐体の外部に取り出された包装貨幣を前記筐体の内部に戻す箇所が異なるようになっていてもよい。
【００１３】
本発明の貨幣処理装置においては、前記制御部は、前記出金要求に基づいて特定される出金されるべきある金種の包装貨幣の数が、前記包装貨幣収納部に収納されている当該金種の包装貨幣の数よりも多い場合においてのみ、この金種の不足分のバラ貨幣を前記バラ貨幣収納部から繰り出して前記包装貨幣作成部に送るよう各構成部材の制御を行うようになっていてもよい。
また、本発明の貨幣処理装置は、前記出金要求に基づいて特定される出金されるべきある金種の包装貨幣の数から、前記包装貨幣収納部に収納されている当該金種の包装貨幣の数を差し引いた数が所定数以上である場合に警告を行う警告手段を更に備えていてもよい。
【００１４】
本発明の貨幣処理装置は、前記出金要求に基づいて特定される出金されるべきある金種の包装貨幣の数が、前記包装貨幣収納部に収納されている当該金種の包装貨幣の数よりも多い場合において、この金種の不足分の包装貨幣に相当するバラ貨幣の数が前記バラ貨幣収納部に収納されている当該金種のバラ貨幣の数よりも多いときには、出金される包装貨幣の数が不足する旨の情報を報知する第３報知手段を更に備えていてもよい。
【００１５】
本発明の貨幣処理装置においては、前記出金要求に基づいて特定される出金されるべきある金種の包装貨幣の数が、前記包装貨幣収納部に収納されている当該金種の包装貨幣の数よりも多い場合において、この金種の不足分の包装貨幣に相当するバラ貨幣の数が前記バラ貨幣収納部に収納されている当該金種のバラ貨幣の数よりも多いときには、この金種の不足分のバラ貨幣を前記バラ貨幣収納部から繰り出して前記包装貨幣作成部に送るような動作を行わないようになっていてもよい。
【００１６】
本発明の貨幣処理システムは、バラ貨幣を収納するとともに収納されているバラ貨幣を繰出可能なバラ貨幣収納部、前記バラ貨幣収納部から送られた所定枚数のバラ貨幣を包装する包装貨幣作成部、包装貨幣を収納するとともに収納されている包装貨幣を繰出可能な包装貨幣収納部、および包装貨幣を筐体の外部に払い出すための包装貨幣払出部を有する貨幣処理装置と、前記貨幣処理装置とは別に設けられ、当該貨幣処理装置の管理を行う管理装置と、を備えた貨幣処理システムであって、包装貨幣を含む出金要求を受け付けると、包装貨幣を前記包装貨幣収納部から繰り出して前記包装貨幣払出部に送るとともに、バラ貨幣を前記バラ貨幣収納部から繰り出して前記包装貨幣作成部に送り、当該包装貨幣作成部において所定枚数ずつバラ貨幣を包装することにより包装貨幣を作成し、作成された包装貨幣を前記包装貨幣払出部により前記筐体の外部に払い出すことができるよう前記貨幣処理装置の各構成部材の制御を行う制御部を備え、前記制御部は、前記包装貨幣収納部から前記包装貨幣払出部に送られた包装貨幣と、前記包装貨幣作成部により作成された包装貨幣とを区別して前記包装貨幣払出部により前記筐体の外部に払い出すことを特徴とする。
【００１７】
このような貨幣処理システムによれば、包装貨幣を含む出金要求を受け付けると、貨幣処理装置において、任意で、バラ貨幣をバラ貨幣収納部から繰り出して包装貨幣作成部に送り、当該包装貨幣作成部において所定枚数ずつバラ貨幣を包装することにより包装貨幣を作成し、作成された包装貨幣を包装貨幣払出部により筐体の外部に払い出すことができるため、出金されるべきある金種の包装貨幣を出金できない場合に、出納係による要因解除処理を行わなくても出金要求に係る包装貨幣を筐体の外部に払い出すことができ、よって包装貨幣の出金処理を行う操作者を長い間待たせてしまうことを防止することができる。
【００１８】
本発明の貨幣処理システムにおいては、前記制御部が前記管理装置に設けられていてもよい。
【００１９】
本発明の貨幣処理方法は、バラ貨幣収納部と、包装貨幣作成部と、包装貨幣収納
部と、包装貨幣払出部とを有する貨幣処理装置による貨幣処理方法であって、包装貨幣を
含む出金要求を受け付ける工程と、包装貨幣を含む出金要求が受け付けられると、包装貨
幣を前記包装貨幣収納部から繰り出して前記包装貨幣払出部に送る工程と、包装貨幣を含
む出金要求が受け付けられると、任意で、バラ貨幣を前記バラ貨幣収納部から繰り出して前記包装貨幣作成部に送り、当該包装貨幣作成部において所定枚数ずつバラ貨幣を包装す
ることにより包装貨幣を作成し、作成された包装貨幣と、前記包装貨幣収納部から前記包
装貨幣払出部に送られた包装貨幣とを区別して当該包装貨幣払出部により筐体の外部に払
い出す工程と、を備えたことを特徴とする。
【００２０】
このような貨幣処理方法によれば、包装貨幣を含む出金要求を受け付けると、任意で、バラ貨幣をバラ貨幣収納部から繰り出して包装貨幣作成部に送り、当該包装貨幣作成部において所定枚数ずつバラ貨幣を包装することにより包装貨幣を作成し、作成された包装貨幣を包装貨幣払出部により筐体の外部に払い出すことができるため、出金されるべきある金種の包装貨幣を出金できない場合に、出納係による要因解除処理を行わなくても出金要求に係る包装貨幣を筐体の外部に払い出すことができ、よって包装貨幣の出金処理を行う操作者を長い間待たせてしまうことを防止することができる。
【００２１】
本発明の貨幣処理方法においては、前記出金要求に基づいて特定される出金されるべきある金種の包装貨幣の数が、前記包装貨幣収納部に収納されている当該金種の包装貨幣の数よりも多い場合においてのみ、この金種の不足分のバラ貨幣を前記バラ貨幣収納部から繰り出して前記包装貨幣作成部に送り、当該包装貨幣作成部において所定枚数ずつバラ貨幣を包装することにより包装貨幣を作成し、作成された包装貨幣を前記包装貨幣払出部により筐体の外部に払い出すようになっていてもよい。
【発明の効果】
【００２２】
本発明の貨幣処理装置、貨幣処理システムおよび貨幣処理方法によれば、出金されるべきある金種の包装貨幣を出金できない場合に、出納係による要因解除処理を行わなくても出金要求に係る包装貨幣を筐体の外部に払い出すことができるため包装貨幣の出金処理を行う操作者を長い間待たせてしまうことを防止することができる。
【図面の簡単な説明】
【００２３】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図１に示す貨幣入出金機における硬貨入出金装置を正面側から見たときの内部構成を概略的に示す概略構成図である。
【図４】図３に示す硬貨入出金装置を左側方から見たときの内部構成を概略的に示す概略構成図である。
【図５】図３に示す硬貨入出金装置を右側方から見たときの内部構成を概略的に示す概略構成図である。
【図６】図３等に示す硬貨入出金装置における入金繰出部および入金搬送部を上方から見たときの構成を示す構成図である。
【図７】図３等に示す硬貨入出金装置における各構成部材間での硬貨の流れを示す説明図である。
【図８】図１に示す貨幣入出金機における制御系の構成を示す機能ブロック図である。
【図９】図２に示す紙幣入出金装置においてバラ紙幣や帯封紙幣の出金処理が行われるときのバラ紙幣や帯封紙幣の搬送経路を示す図である。
【図１０】図２に示す紙幣入出金装置においてバラ紙幣や帯封紙幣の出金処理が行われるときのバラ紙幣や帯封紙幣の搬送経路を示す図である。
【図１１】図２に示す紙幣入出金装置においてバラ紙幣や帯封紙幣の出金処理が行われるときに操作表示部に表示される画面を示す図である。
【図１２】図２に示す紙幣入出金装置においてバラ紙幣や帯封紙幣の出金処理が行われるときに印字部により印字されるレシートの内容を示す図である。
【図１３】変形例に係る紙幣処理装置の内部構成を概略的に示す概略構成図である。
【図１４】図１３に示す紙幣処理装置における制御系の構成を示す機能ブロック図である。
【発明を実施するための形態】
【００２４】
以下、図面を参照して本発明の実施の形態について説明する。図１乃至図１２は、本実施の形態による貨幣入出金機を示す図である。このうち、図１は、本実施の形態による貨幣入出金機の外観を示す斜視図であり、図２は、図１に示す貨幣入出金機における紙幣入出金装置の内部構成を概略的に示す概略構成図である。また、図３乃至図５は、それぞれ、図１に示す貨幣入出金機における硬貨入出金装置を正面側、左側方および右側方から見たときの内部構成を概略的に示す概略構成図であり、図６は、図３等に示す硬貨入出金装置における入金繰出部および入金搬送部を上方から見たときの構成を示す構成図である。また、図７は、図３等に示す硬貨入出金装置における各構成部材間での硬貨の流れを示す説明図である。また、図８は、図１に示す貨幣入出金機における制御系の構成を示す機能ブロック図である。また、図９および図１０は、それぞれ、図２に示す紙幣入出金装置においてバラ紙幣や帯封紙幣の出金処理が行われるときのバラ紙幣や帯封紙幣の搬送経路を示す図である。また、図１１は、図２に示す紙幣入出金装置においてバラ紙幣や帯封紙幣の出金処理が行われるときに操作表示部に表示される画面を示す図であり、図１２は、図２に示す紙幣入出金装置においてバラ紙幣や帯封紙幣の出金処理が行われるときに印字部により印字されるレシートの内容を示す図である。
【００２５】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。
【００２６】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２７】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００２８】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図８参照）によりそれぞれ駆動されるようになっている。
【００２９】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００３０】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００３１】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧（新券／流通券、Ｅ券／Ｄ券、等）、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３２】
また、図２に示すように、搬送部１８には入金一時保留部３０、混合バラ紙幣収納部３２および複数（図２に示す例では３つ）の金種別バラ紙幣収納部３４がそれぞれ接続されており、搬送部１８からこれらの入金一時保留部３０、混合バラ紙幣収納部３２および各金種別バラ紙幣収納部３４にバラ紙幣が送られるようになっている。ここで、入金一時保留部３０、混合バラ紙幣収納部３２および各金種別バラ紙幣収納部３４にはそれぞれ図２における上下方向に移動可能となっているステージ３０ａ、３２ａ、３４ａが設けられており、これらのステージ３０ａ、３２ａ、３４ａ上でバラ紙幣が積層状態で集積されるようになっている。
【００３３】
また、入金一時保留部３０の上端部の近傍には紙幣繰出繰入部３０ｂが設けられており、入金一時保留部３０に保留されているバラ紙幣は紙幣繰出繰入部３０ｂにより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。
【００３４】
また、混合バラ紙幣収納部３２の上端部の近傍には紙幣繰入部３２ｂが設けられており、搬送部１８からこの紙幣繰入部３２ｂにより混合バラ紙幣収納部３２にバラ紙幣が１枚ずつ繰り入れられるようになっている。ここで、混合バラ紙幣収納部３２には、各金種別バラ紙幣収納部３４に割り当てられていない金種のバラ紙幣（例えば、二千円紙幣）や損券、ならびにオーバーフロー紙幣等が混合状態で収納されるようになっている。
【００３５】
また、各金種別バラ紙幣収納部３４の上端部の近傍にはそれぞれ紙幣繰出繰入部３４ｂが設けられており、各金種別バラ紙幣収納部３４に収納されているバラ紙幣は紙幣繰出繰入部３４ｂにより１枚ずつ搬送部１８に繰り出されるようになっている。バラ紙幣の出金処理が行われる際に、各金種別バラ紙幣収納部３４から搬送部１８に繰り出されたバラ紙幣が当該搬送部１８により識別部２０に送られ、識別部２０により識別された後にバラ紙幣投出部２４に送られることによって、操作者はバラ紙幣投出部２４から出金紙幣を取り出すことができるようになる。また、各紙幣繰出繰入部３４ｂにより搬送部１８から各金種別バラ紙幣収納部３４にバラ紙幣が１枚ずつ繰り入れられるようになっている。ここで、各金種別バラ紙幣収納部３４には、それぞれ予め設定された特定の金種のバラ紙幣が金種毎に収納されるようになっている。具体的には、３つの金種別バラ紙幣収納部３４の各々には、図２における左側から順に千円紙幣、五千円紙幣および一万円紙幣の金種が割り当てられており、各金種別バラ紙幣収納部３４にはそれぞれ当該金種別バラ紙幣収納部３４に割り当てられた金種のバラ紙幣が収納されるようになっている。
【００３６】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０、混合バラ紙幣収納部３２および各金種別バラ紙幣収納部３４は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４を引出ユニット１３から取り外したり引出ユニット１３に装着したりすることができるようになる。
【００３７】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００３８】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００３９】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に１または複数の帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００４０】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。より詳細には、４つの帯封紙幣収納部７０のうち図２における右側の２つの帯封紙幣収納部７０には一万円紙幣の金種が割り当てられるとともに左側の２つの帯封紙幣収納部７０には千円紙幣の金種が割り当てられており、各帯封紙幣収納部７０にはそれぞれ当該帯封紙幣収納部７０に割り当てられた金種の帯封紙幣が収納されるようになっている。
【００４１】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００４２】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４３】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開くようになる。
【００４４】
また、本実施の形態の紙幣入出金装置１０では、帯封紙幣搬送部６０や帯封紙幣揚送部４６等における帯封紙幣に係る異常（具体的には、帯封紙幣の詰まり等の異常）を検出する異常検出手段８０（図８参照）が設けられている。
【００４５】
次に、本実施の形態による貨幣入出金機１における硬貨入出金装置１１０の構成について図１および図３乃至図７を用いて説明する。図１および図３乃至図７に示すように、本実施の形態による硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。また、図６に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、および入金識別部１２９により各々の金種の硬貨であると識別されたバラ硬貨を選別する複数の金種別選別部１３６がそれぞれ設けられている。また、筐体１１２の内部には、任意選別部１３４や各金種別選別部１３６により選別されたバラ硬貨を金種毎に一時的に保留する入金一時保留部１４０、および入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００および包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００４６】
図３、図４および図６に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構１２６とを有している。
【００４７】
図６に示すように、入金搬送部１２８は、入金繰出部１２０から繰り出されたバラ硬貨を搬送路に沿って搬送する搬送ベルトを有している。ここで、搬送ベルトとしては例えば入金搬送部１２８の搬送路に沿って移動する丸ベルトが用いられるようになっており、入金繰出部１２０から繰り出されたバラ硬貨は当該丸ベルトとの間で働く摩擦力により搬送路に沿って搬送されるようになっている。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られるようになっている。
【００４８】
また、図６に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図４に示すように、筐体１１２の内部には、リジェクト選別部１３０により選別されたリジェクト硬貨としてのバラ硬貨が集積される入金リジェクト部１３８、およびリジェクト選別部１３０から入金リジェクト部１３８にリジェクト硬貨としてのバラ硬貨を送る入金リジェクト用シュート１３１がそれぞれ設けられている。ここで、図１に示すように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出すことができるようになっている。
【００４９】
また、図６に示すように、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図４において二点鎖線で表示）に送られるべきバラ硬貨のことをいう。
【００５０】
また、図６に示すように、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。具体的には、複数の金種別選別部１３６として、硬貨の搬送方向における上流側から順に、５円硬貨を選別する５円硬貨選別部１３６ａ、１円硬貨を選別する１円硬貨選別部１３６ｂ、５０円硬貨を選別する５０円硬貨選別部１３６ｃ、１００円硬貨を選別する１００円硬貨選別部１３６ｄ、１０円硬貨を選別する１０円硬貨選別部１３６ｅおよび５００円硬貨を選別する５００円硬貨選別部１３６ｆが設けられている。ここで、リジェクト選別部１３０、任意選別部１３４および５円硬貨選別部１３６ａは、ソレノイド等の電気的駆動機構によって強制的にバラ硬貨を分岐孔に落とし込ませるような構成となっている。一方、１円硬貨選別部１３６ｂ、５０円硬貨選別部１３６ｃ、１００円硬貨選別部１３６ｄおよび１０円硬貨選別部１３６ｅは、小径硬貨から大径硬貨の順にバラ硬貨を径の大きさで選別して該当する分岐孔に落とし込ませるような構成となっている。また、５００円硬貨選別部１３６ｆは、５円硬貨選別部１３６ａ、１円硬貨選別部１３６ｂ、５０円硬貨選別部１３６ｃ、１００円硬貨選別部１３６ｄおよび１０円硬貨選別部１３６ｅの各分岐孔に落とし込まれなかったバラ硬貨を５００円硬貨として当該５００円硬貨選別部１３６ｆに対応する分岐孔に落とし込ませるような構成となっている。
【００５１】
また、図３および図４に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部および底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部および底部が開口した枠体から構成されている。また、任意一時保留部１４２および金種別一時保留部１４４は互いに連結されており、これらの任意一時保留部１４２および金種別一時保留部１４４は一体的に水平方向に移動するようになっている。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止されるようになっている。また、図３および図４に示すように、入金一時保留部１４０は、任意一時保留部１４２および金種別一時保留部１４４を水平方向（具体的には、図３における左右方向）に移動させる第１駆動機構１４５と、底部材１４６を水平方向（具体的には、図３における左右方向）に移動させる第２駆動機構１４７とを有している。
【００５２】
また、図３および図４に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、および入金一時保留部１４０の任意一時保留部１４２から送られたバラ硬貨が収納されるバラ硬貨一括収納箱１９８（図１および図７参照、図３や図４では図示せず）がそれぞれ設けられている。
【００５３】
入金一時保留部１４０における金種別一時保留部１４４は、各金種別選別部１３６の分岐孔の真下かつ排出部１５０の真上の位置である第１位置と、各収納繰出部１５２の真上の位置である第２位置との間で図３における左右方向に移動可能となっている。また、底部材１４６は、第１位置にある金種別一時保留部１４４の底部の開口を塞ぐ第１位置と、第１位置にある金種別一時保留部１４４の底部の開口を開く第２位置との間で図３における左右方向に移動可能となっている。また、本実施の形態による硬貨入出金装置１１０が待機状態にあるときには金種別一時保留部１４４は第１位置に位置するとともに底部材１４６も第１位置に位置するようになる。ここで、金種別一時保留部１４４が第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留されるようになる。そして、金種別一時保留部１４４の各保留領域１４４ａ〜１４４ｆにバラ硬貨が一時的に保留されている状態から第１駆動機構１４５により金種別一時保留部１４４が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納されるようになる。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積されるようになる。
【００５４】
また、入金一時保留部１４０における任意一時保留部１４２は、第１駆動機構１４５による当該任意一時保留部１４２の移動方向（具体的には、図３における左右方向）に沿って並ぶ第１保留領域および第２保留領域に区画されたものから構成されている。そして、金種別一時保留部１４４が第１位置に位置しているときには任意一時保留部１４２の第１保留領域が任意選別部１３４の分岐孔の真下に位置するとともに排出部１５０の真上に位置するようになる。なお、このときに底部材１４６が第１位置に位置しているときには任意一時保留部１４２の第１保留領域の底部の開口が当該底部材１４６により塞がれるようになり、任意選別部１３４の分岐孔に落とし込まれたバラ硬貨は任意一時保留部１４２の第１保留領域に一時的に保留されるようになる。また、金種別一時保留部１４４が第２位置に位置しているときには任意一時保留部１４２の第１保留領域がバラ硬貨一括収納箱１９８の真上に位置するようになっている。そして、任意一時保留部１４２の第１保留領域にバラ硬貨が一時的に保留されている状態から第１駆動機構１４５により金種別一時保留部１４４が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納されるようになる。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積されるようになる。また、第１駆動機構１４５によって、入金一時保留部１４０における任意一時保留部１４２を、その第２保留領域が任意選別部１３４の分岐孔の真下に位置するような第３位置に移動させることができるようになっている。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られるようになっている。
【００５５】
図４等に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納されるようになっている。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られるようになっている。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出されるようになっている。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送されるようになっている。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られるようになっている。また、出金識別部１５５により識別されたバラ硬貨はコンベア１５４により出金用シュート１５８を介して出金箱１９０に送られるか、あるいは包装用シュート１５７を介して包装部１６０に送られるようになっている。
【００５６】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積されるようになっている。
【００５７】
バラ硬貨一括収納箱１９８は、筐体１１２の前面から操作者が手前側に引き出し可能となっており、入金一時保留部１４０における任意一時保留部１４２の第１保留領域から送られたバラ硬貨が集積されるようになっている。
【００５８】
図４に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４および包装用シュート１７６とを有しており、上部シュート１７２から貯留用シュート１７４や包装用シュート１７６への分岐箇所には分岐部材１７８が設けられている。ここで、上部シュート１７２から分岐部材１７８により包装用シュート１７６に分岐させられたバラ硬貨は包装部１６０に送られるようになっている。一方、図４に示すように、貯留用シュート１７４の下流側端部に位置する排出側開口１７４ａは筐体１１２の前面に開口するようになっており、この排出側開口１７４ａの近傍には、図４において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留されるようになる。
【００５９】
出金箱１９０は、筐体１１２の前面から操作者が手前側に引き出し可能となっており、本実施の形態による硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られるようになっている。また、出金箱１９０には、操作者が当該出金箱１９０を筐体１１２の前面から手前側に引き出す際に把持される取っ手１９０ａが設けられており、このような取っ手１９０ａを操作者が把持することにより出金箱１９０を筐体１１２から容易に引き出すことができるようになっている。また、出金箱１９０には図示しないロック機構が設けられており、このロック機構により出金箱１９０は筐体１１２の内部にロックされるようになっている。一方、ロック機構によるロックが解除されると、操作者は出金箱１９０を筐体１１２の前面から手前側に引き出すことができるようになる。また、図３および図４に示すように、出金箱１９０の底部には開口が設けられているとともに、この開口はシャッタ部材１９２により選択的に閉じられるようになっている。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施の形態による硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られるようになる。
【００６０】
包装部１６０は、シュート機構１７０の包装用シュート１７６や包装用シュート１５７により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア１６３と、コンベア１６３により搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されることにより包装硬貨が作成されるようになっている。図５に示すように、包装機構１６８により作成された包装硬貨はこの包装機構１６８から下方に排出されるようになっている。また、包装機構１６８の下方には包装硬貨用シュート１６５および横搬送部１６７が設けられており、包装機構１６８により作成された包装硬貨が当該包装機構１６８から下方に排出されると、この排出された包装硬貨は包装硬貨用シュート１６５を通って横搬送部１６７に送られ、この横搬送部１６７により包装硬貨搬送ユニット２１０に向かって搬送されるようになる。また、横搬送部１６７と包装硬貨搬送ユニット２１０との間には、横搬送部１６７から包装硬貨搬送ユニット２１０への包装硬貨の放出と放出規制とを切り換える切換部材１６９が設けられている。
【００６１】
また、図３等に示すように、包装部１６０においてコンベア１６３の下方には排出シュート１６４が設けられており、包装機構１６８により所定の枚数（例えば、５０枚）のバラ硬貨を包装する際に所定の枚数に満たない端数分のバラ硬貨はコンベア１６３から排出シュート１６４に送られてこの排出シュート１６４により出金リジェクト箱１５６に送られるようになっている。また、出金リジェクト箱１５６の近傍には、端数分のバラ硬貨を収納する端数硬貨収納箱１９７が設けられているとともに、この出金リジェクト箱１５６には、排出シュート１６４から送られた端数分のバラ硬貨を出金リジェクト箱１５６および端数硬貨収納箱１９７の何れかに分岐させる分岐部材１９６が設けられている。このような分岐部材１９６が設けられていることにより、コンベア１６３から排出シュート１６４に送られた端数分のバラ硬貨を出金リジェクト箱１５６および端数硬貨収納箱１９７のうち何れかに収納させることができるようになる。
【００６２】
図５に示すように、包装硬貨搬送ユニット２１０は、筐体１１２の内部における上部および下部にそれぞれ設けられた２つのプーリ２１２と、これらの２つのプーリ２１２に掛け渡された無端状の循環ベルト２１４と、２つのプーリ２１２のうち一方のプーリ２１２を回転駆動させることにより循環ベルト２１４を図５における時計回りの方向および反時計回りの方向に循環移動させる駆動モータ（図示せず）とを有している。また、図５に示すように、循環ベルト２１４には、包装硬貨搬送ユニット２１０により搬送されるべき包装硬貨が引っ掛けられる突起２１６が等間隔で複数設けられている。ここで、各突起２１６は、当該突起２１６と包装硬貨とが接する面が循環ベルト２１４の延びる方向（すなわち、図５における上下方向）に対して所定の角度（例えば、６０°）をなして傾斜する方向に当該循環ベルト２１４から突出して形成されている。このように各突起２１６が循環ベルト２１４の延びる方向に対して傾斜していることにより、突起２１６に引っ掛けられた包装硬貨はその自重により突起２１６上で循環ベルト２１４側に寄せられるようになる。そして、循環ベルト２１４が図５における反時計回りの方向に循環移動すると、包装硬貨は突起２１６に引っ掛けられた状態で（すなわち、突起２１６上で循環ベルト２１４側に寄せられた状態で）循環ベルト２１４の移動に合わせて図５における反時計回りの方向に沿って搬送されるようになる。また、本実施の形態では、循環ベルト２１４は、所定量だけ移動すると所定時間だけ停止し、その後再び所定量だけ移動するような動作が繰り返し行われる間欠移動を行うよう、駆動モータにより駆動させられるようになっている。
【００６３】
また、図５に示すように、筐体１１２の内部において包装硬貨搬送ユニット２１０の近傍には、包装硬貨の収納を行う包装硬貨収納ユニット２００が設けられている。ここで、包装硬貨収納ユニット２００は、同一金種の複数の包装硬貨を一列に収納する複数（図５に示す例では６つ）の収納トレイ２４０を有しており、各収納トレイ２４０には包装硬貨が金種別に収納されるようになっている。ここで、各収納トレイ２４０は水平方向に対して傾斜しており、収納トレイ２４０に収納されている包装硬貨は、包装硬貨搬送ユニット２１０に近い側である収納トレイ２４０の最前部に向かって転がるようになっている。また、各収納トレイ２４０は鉛直方向に沿って並ぶよう配置されている。また、各収納トレイ２４０に収納される包装硬貨の金種は収納トレイ２４０毎に予め設定されている。
【００６４】
また、各収納トレイ２４０は、図５に示す位置から包装硬貨搬送ユニット２１０に向かって（すなわち、図５における左方向に）移動可能となっており、各収納トレイ２４０が包装硬貨搬送ユニット２１０における循環ベルト２１４の近傍の位置まで進出したときに、各収納トレイ２４０に収納されている包装硬貨が循環ベルト２１４の突起２１６に１つずつ受け渡されるようになる。また、各収納トレイ２４０の前端部分（すなわち、図５における左端部分）と、包装硬貨搬送ユニット２１０との間には、各収納トレイ２４０に対応して複数のストッパ部分２０４ａが設けられたストッパ機構２０４が上下方向に移動可能に配置されている。このストッパ機構２０４が下降位置にあるときには、包装硬貨搬送ユニット２１０に向かって進出した収納トレイ２４０の最前部の包装硬貨にストッパ部分２０４ａが接触してこの最前部の包装硬貨が循環ベルト２１４の突起２１６に受け渡されないようになる。この場合には、循環ベルト２１４により搬送される包装硬貨が突起２１６から収納トレイ２４０の最前部に受け渡され、この収納トレイ２４０に収納されるようになる。一方、ストッパ機構２０４が上昇位置にあるときには、包装硬貨搬送ユニット２１０に向かって進出した収納トレイ２４０の最前部の包装硬貨にストッパ部分２０４ａが接触せず、この最前部の包装硬貨が循環ベルト２１４の突起２１６に受け渡されるようになる。
【００６５】
また、筐体１１２の前面において包装硬貨搬送ユニット２１０の前部域には、包装硬貨出金部２３０、包装硬貨一括収納箱２３２および包装硬貨投出部２３６がそれぞれ設けられている。また、包装硬貨出金部２３０、包装硬貨一括収納箱２３２および包装硬貨投出部２３６の各々に対応して、包装硬貨搬送ユニット２１０の循環ベルト２１４により搬送される包装硬貨を選択的に包装硬貨出金部２３０、包装硬貨一括収納箱２３２および包装硬貨投出部２３６にそれぞれ分岐させる分岐部材２１８、２１９、２２０が鉛直方向における上から順に設けられている。また、分岐部材２２０により包装硬貨搬送ユニット２１０から分岐させられた包装硬貨を包装硬貨投出部２３６に送る包装硬貨投出用シュート２３８が設けられている。ここで、図１に示すように、操作者は筐体１１２の前面から包装硬貨出金部２３０にアクセス可能となっており、分岐部材２１８により包装硬貨搬送ユニット２１０から分岐させられて包装硬貨出金部２３０に送られた包装硬貨を操作者は筐体１１２の外部に取り出すことができるようになっている。また、包装硬貨出金部２３０には、当該包装硬貨出金部２３０の出金口を開閉するためのシャッター２３０ａが設けられており、当該シャッター２３０ａにより出金口が開かれている場合においてのみ操作者は包装硬貨出金部２３０から包装硬貨を取り出すことができるようになっている。このようなシャッター２３０ａはシャッター駆動部２３０ｂ（図８参照）により駆動されるようになっている。
【００６６】
また、分岐部材２１９により包装硬貨搬送ユニット２１０から分岐させられて包装硬貨一括収納箱２３２に送られた包装硬貨は当該包装硬貨一括収納箱２３２に収納されるようになっている。なお、操作者は包装硬貨一括収納箱２３２を筐体１１２の外部に取り出すことによりこの包装硬貨一括収納箱２３２から包装硬貨を回収することができるようになる。また、図１に示すように、操作者は筐体１１２の前面から包装硬貨投出部２３６にアクセス可能となっており、分岐部材２２０により包装硬貨搬送ユニット２１０の循環ベルト２１４から分岐させられて包装硬貨投出用シュート２３８により包装硬貨投出部２３６に送られた包装硬貨を操作者は筐体１１２の外部に取り出すことができるようになっている（具体的には、包装硬貨投出部２３６の下方に箱状の容器を置いて、投出される包装硬貨をこの容器で受け入れるようになっている）。また、循環ベルト２１４を図５における時計回りの方向に循環移動させた場合には、横搬送部１６７により包装硬貨搬送ユニット２１０に送られた包装硬貨をすぐに包装硬貨投出用シュート２３８経由で包装硬貨投出部２３６に送ることができるようになる。
【００６７】
また、図１に示すように、筐体１１２の前面側における右側部分には開閉可能な前扉１１４が設けられており、当該前扉１１４を開くことにより筐体１１２内の包装硬貨収納ユニット２００にアクセスすることができるようになっている。より詳細には、前扉１１４には上述した包装硬貨出金部２３０、包装硬貨一括収納箱２３２、包装硬貨投出部２３６および包装硬貨搬送ユニット２１０が取り付けられており、前扉１１４を開いたときにはこれらの包装硬貨出金部２３０、包装硬貨一括収納箱２３２、包装硬貨投出部２３６および包装硬貨搬送ユニット２１０も前扉１１４と一体的に移動するようになっている。このことにより、操作者は前扉１１４を開くと包装硬貨収納ユニット２００にアクセスして収納トレイ２４０を取り出すことにより収納トレイ２４０に包装硬貨を収納したり収納トレイ２４０から包装硬貨を取り出したりすることができるようになっている。
【００６８】
また、図１に示すように、筐体１１２の前面側における左側部分にも開閉可能な前扉１１５が設けられている。また、筐体１１２の内部において前扉１１５の裏側には複数の引出ユニット（図示せず）が設けられており、操作者は前扉１１５を開くことにより各引出ユニットを筐体１１２の手前側に引き出すことができるようになっている。
【００６９】
また、本実施の形態の貨幣入出金機１には、当該貨幣入出金機１の各構成部材の制御を行う制御部３００が設けられている。より詳細には、図８に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、異常検出手段８０、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報、異常検出手段８０による帯封紙幣の異常の検出情報等が制御部３００に送られるとともに、制御部３００は紙幣入出金装置１０の各構成部材に指令信号を送ることによりこれらの構成部材の動作を制御するようになっている。
【００７０】
また、図８に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、各分岐部材２１８、２１９、２２０、異常検出手段２８０、シャッター２３０ａを開閉させるシャッター駆動部２３０ｂ等がそれぞれ接続されている。ここで、入金識別部１２９や出金識別部１５５によるバラ硬貨の識別情報、異常検出手段２８０による包装硬貨の異常の検出情報等はこれらの入金識別部１２９や出金識別部１５５から制御部３００に送られるようになっている。また、制御部３００は、硬貨入出金装置１１０の各構成部材に指令の信号を送ることによりこれらの構成部材の動作を制御するようになっている。
【００７１】
また、図８に示すように、制御部３００には、操作表示部３０２、印字部３０４、記憶部３０６および通信インターフェース部３０８がそれぞれ接続されている。図１に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００７２】
また、本実施の形態による貨幣入出金機１では、出金貨幣に係る情報を受け付ける出金貨幣情報受付手段３２０が制御部３００に接続されている。出金貨幣情報受付手段３２０は、操作者によって操作表示部３０２により入力された出金貨幣の金種毎の数や合計金額等の情報や、上位端末等の外部装置３１０から通信インターフェース部３０８を介して貨幣入出金機１に送られた出金貨幣の金種毎の数や合計金額等の情報に基づいて、出金貨幣に係る情報を受け付けるようになっている。このような出金貨幣情報受付手段３２０の機能の詳細については後述する。
【００７３】
次に、本実施の形態による貨幣入出金機１の紙幣入出金装置１０においてバラ紙幣や帯封紙幣の出金処理が行われる際の動作について、図９および図１０に示すバラ紙幣や帯封紙幣の搬送経路、図１１に示す操作表示部３０２の表示画面および図１２に示す印字部３０４により印字されたレシートの内容を用いて説明する。なお、以下に示すような動作は制御部３００が紙幣入出金装置１０の各構成部材を制御することにより行われるようになっている。
【００７４】
紙幣入出金装置１０においてバラ紙幣や帯封紙幣の出金処理を行うにあたり、貨幣入出金機１が待機状態となっているときに操作表示部３０２に表示されるメニュー画面において「出金処理」を選択し、操作表示部３０２に表示される出金画面において出金貨幣に係る情報（具体的には、出金貨幣の金種毎の数や合計金額等の情報）を入力すると、操作表示部３０２により入力された出金貨幣に係る情報が出金貨幣情報受付手段３２０により受け付けられるようになる。例えば、出金貨幣に係る情報として、４２０枚の一万円紙幣および１００枚の五千円紙幣を出金することを操作者が操作表示部３０２により入力すると、出金貨幣が４束の一万円の帯封紙幣、２０枚の一万円のバラ紙幣および１束の五千円の帯封紙幣であるという情報が出金貨幣情報受付手段３２０により受け付けられるようになる。なお、出金貨幣に係る情報として操作者が出金貨幣の合計金額を操作表示部３０２により入力した場合には、制御部３００において出金貨幣の合計枚数が例えば最少構成数となるように自動算出され、この算出された値が出金貨幣情報受付手段３２０により受け付けられるようになっていてもよい。また、操作者が操作表示部３０２により出金貨幣に係る情報を入力する代わりに上位端末等の外部装置３１０から通信インターフェース部３０８を介して出金貨幣に係る情報が送信された場合にも、この送信された出金貨幣に係る情報が出金貨幣情報受付手段３２０により受け付けられるようになる。
【００７５】
出金貨幣情報受付手段３２０により受け付けられた出金貨幣の情報に帯封紙幣が含まれる場合には、紙幣入出金装置１０において帯封紙幣の出金処理が行われるようになる。具体的には、一万円の帯封紙幣および千円の帯封紙幣について、各帯封紙幣収納部７０に収納されている帯封紙幣のうち出金されるべき帯封紙幣が当該帯封紙幣収納部７０から帯封紙幣搬送部６０に繰り出される。また、帯封紙幣搬送部６０において循環ベルト６０ｂは図２における時計回りの方向に循環移動し、帯封紙幣収納部７０から繰り出された帯封紙幣（すなわち、帯封紙幣収納部７０から上方に押し出された最上位の帯封紙幣）は突起６０ａにより引っ掛けられて循環ベルト６０ｂの下面に沿って図２における左方向に搬送される。また、ステージ４６ａが上昇して帯封紙幣搬送部６０の近傍の位置まで到達する。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。そして、出金されるべき帯封紙幣が全てステージ４６ａ上に集積されると当該ステージ４６ａが帯封紙幣投出部４８と同じ高さレベルまで下降し、シャッター４８ａが開くようになる。このようにして、操作者は帯封紙幣投出部４８から帯封紙幣を筐体１２の外部に取り出すことができるようになる。
【００７６】
なお、出金されるべき帯封紙幣に五千円の帯封紙幣が含まれる場合には、上述したように各帯封紙幣収納部７０には五千円紙幣の金種が割り当てられていないため、五千円紙幣の金種が割り当てられている金種別バラ紙幣収納部３４からバラ紙幣が搬送部１８に繰り出され、この搬送部１８により整理一時保留部４０に送られる。そして、整理一時保留部４０に所定枚数（例えば、１００枚）のバラ紙幣が集積される度に、当該整理一時保留部４０に集積された所定枚数のバラ紙幣から帯封部４２により帯封紙幣が作成され、この作成された帯封紙幣が帯封紙幣揚送部４６のステージ４６ａ上に集積されるようになる。
【００７７】
また、出金貨幣情報受付手段３２０により受け付けられた出金貨幣の情報にバラ紙幣が含まれる場合には、紙幣入出金装置１０においてバラ紙幣の出金処理が行われるようになる。具体的には、各金種別バラ紙幣収納部３４に収納されているバラ紙幣のうち出金されるべきバラ紙幣が当該金種別バラ紙幣収納部３４から搬送部１８に繰り出される。そして、繰り出されたバラ紙幣は搬送部１８により識別部２０に送られ、この識別部２０により金種、真偽、表裏、正損、新旧、搬送状態等が識別された後、表裏反転部２２によりその表裏が揃うように反転させられる。その後、識別部２０により正常な紙幣であると識別されたバラ紙幣は搬送部１８によりバラ紙幣投出部２４に送られ、このバラ紙幣投出部２４に集積される。一方、識別部２０により正常な紙幣ではないと識別されたバラ紙幣（例えば、搬送異常のバラ紙幣）は搬送部１８により出金リジェクト部２６に送られ、この出金リジェクト部２６に集積されるようになる。そして、出金されるべきバラ紙幣が全てバラ紙幣投出部２４に集積されるとシャッター２４ａが開き、操作者はバラ紙幣投出部２４からバラ紙幣を筐体１２の外部に取り出すことができるようになる。
【００７８】
本実施の形態の紙幣入出金装置１０において上述したバラ紙幣および帯封紙幣の出金処理が行われる際のバラ紙幣および帯封紙幣の搬送経路を図９に示す。なお、図９において、各帯封紙幣収納部７０に割り当てられていない金種の帯封紙幣（例えば、五千円の帯封紙幣）を出金する際に当該金種が割り当てられている金種別バラ紙幣収納部３４からバラ紙幣を搬送部１８に繰り出して帯封部４２により帯封した後に帯封紙幣投出部４８により投出するときの搬送経路を点線で示している。また、出金されるべきバラ紙幣や帯封紙幣が全てバラ紙幣投出部２４や帯封紙幣投出部４８から筐体１２の外部に投出されると、印字部３０４によりレシートに出金情報（具体的には、出金されたバラ紙幣や帯封紙幣の金種毎の数や合計金額等）が印字されるようになる。
【００７９】
また、上述したバラ紙幣および帯封紙幣の出金処理が行われる際に、出金貨幣情報受付手段３２０により受け付けられた情報から特定される出金されるべきある金種の帯封紙幣（具体的には、例えば一万円の帯封紙幣）の数が、各帯封紙幣収納部７０に収納されている当該金種の帯封紙幣の数よりも多い場合には、この金種の不足分のバラ紙幣を金種別バラ紙幣収納部３４から搬送部１８に繰り出して帯封部４２に送り、当該帯封部４２において所定枚数（例えば、１００枚）ずつバラ紙幣を帯封することにより帯封紙幣を作成し、作成された帯封紙幣を帯封紙幣投出部４８により筐体１２の外部に払い出すようになっている。また、この場合には、帯封紙幣収納部７０から帯封紙幣投出部４８に送られた帯封紙幣と、帯封部４２により作成された帯封紙幣とを払い出すタイミングを区別して帯封紙幣投出部４８により筐体１２の外部に払い出すようになっている。このような動作について図１０に示すようなバラ紙幣および帯封紙幣の搬送経路を用いて説明する。
【００８０】
出金貨幣に係る情報が出金貨幣情報受付手段３２０により受け付けられると、図９におけるバラ紙幣および帯封紙幣の搬送経路に示すように、各帯封紙幣収納部７０に収納されている帯封紙幣のうち出金されるべき帯封紙幣が当該帯封紙幣収納部７０から繰り出されて帯封紙幣投出部４８に送られるとともに各金種別バラ紙幣収納部３４に収納されているバラ紙幣のうち出金されるべきバラ紙幣が当該金種別バラ紙幣収納部３４から繰り出されてバラ紙幣投出部２４に送られる。しかしながら、前述した出金貨幣に係る情報（具体的には、４２０枚の一万円紙幣および１００枚の五千円紙幣）が受け付けられ、出金されるべき一万円の帯封紙幣の数が例えば４束であるにもかかわらず各帯封紙幣収納部７０に収納されている一万円の帯封紙幣の数が例えば３束であり、一万円の帯封紙幣が１束不足する場合には、まず、３束の帯封紙幣が各帯封紙幣収納部７０から帯封紙幣投出部４８に送られ、その後、五千円紙幣の帯封紙幣が帯封部４２により作成されて帯封紙幣投出部４８に送られてシャッター４８ａが開くようになる。また、この際に、出金されるべきバラ紙幣（具体的には、２０枚の一万円紙幣）が各金種別バラ紙幣収納部３４からバラ紙幣投出部２４に送られてシャッター２４ａが開く。そして、シャッター２４ａ、４８ａが開くと、操作表示部３０２にはバラ紙幣投出部２４や帯封紙幣投出部４８からバラ紙幣や帯封紙幣を取り出すことを操作者に促す旨のメッセージが表示される。この際に、図１１に示すように、出金されるべき紙幣が分割して出金される旨のメッセージも操作表示部３０２にポップアップ表示されるようになる。このときに、分割して出金される帯封紙幣の金種および数量（ここでは、一万円の帯封紙幣が１束）が合わせて操作表示部３０２に表示されてもよい。そして、帯封紙幣投出部４８から筐体１２の外部に３束の帯封紙幣が取り出されるとともにバラ紙幣投出部２４からバラ紙幣が取り出されると、シャッター２４ａおよびシャッター４８ａが一旦閉じる。このように、出金されるべき紙幣が分割して出金される旨のメッセージが操作表示部３０２にポップアップ表示されることにより、後述するように帯封部４２により作成された帯封紙幣を操作者が帯封紙幣投出部４８から取り忘れてしまうことを防止することができる。なお、各帯封紙幣収納部７０に収納されている一万円の帯封紙幣の数が不足する場合には、操作表示部３０２において一万円の帯封紙幣の数が不足している旨のメッセージや各帯封紙幣収納部７０に一万円の帯封紙幣を補充することを操作者に促す旨のメッセージが表示されるようになっている。あるいは、一万円の帯封紙幣の数が不足している旨の情報や各帯封紙幣収納部７０に一万円の帯封紙幣を補充することを操作者に促す旨の情報が通信インターフェース部３０８により上位端末等の外部装置３１０に送信されるようになっていてもよい。
【００８１】
そして、シャッター２４ａおよびシャッター４８ａが閉じた後、一万円紙幣の金種が割り当てられている金種別バラ紙幣収納部３４からバラ紙幣が搬送部１８に繰り出され、この搬送部１８により整理一時保留部４０に送られる。そして、整理一時保留部４０に所定枚数（例えば、１００枚）のバラ紙幣が集積される度に、当該整理一時保留部４０に集積された所定枚数のバラ紙幣から帯封部４２により帯封紙幣が作成され、この作成された帯封紙幣が帯封紙幣揚送部４６のステージ４６ａ上に集積されるようになる。このような動作におけるバラ紙幣および帯封紙幣の搬送経路を図１０に示す。なお、不足分の帯封紙幣に相当する枚数分のバラ紙幣が金種別バラ紙幣収納部３４に収納されていない場合には、当該金種別バラ紙幣収納部３４からバラ紙幣が搬送部１８に繰り出されず、よって帯封部４２によりバラ紙幣の帯封処理が行われることもない。また、この場合には、操作表示部３０２には帯封紙幣投出部４８により筐体１２の外部に投出される帯封紙幣の数が出金されるべき帯封紙幣の数よりも少ない旨のメッセージが表示されるとともに、金種別バラ紙幣収納部３４に収納されているバラ紙幣の数も不足している旨のメッセージや金種別バラ紙幣収納部３４にバラ紙幣を補充することを操作者に促す旨のメッセージが表示されるようになる。なお、金種別バラ紙幣収納部３４内のバラ紙幣を帯封しても足りない場合は、出金貨幣に係る情報が受け付けられた時点で、出金貨幣が不足する旨のメッセージが操作表示部３０２に表示されるようになっていてもよい。
【００８２】
その後、不足分の帯封紙幣が全てステージ４６ａ上に集積されると、シャッター４８ａが再び開くようになる。そして、シャッター４８ａが開くと、操作表示部３０２には帯封紙幣投出部４８から帯封紙幣を取り出すことを操作者に促す旨のメッセージが表示される。なお、この際に、図１１に示すような「分割出金されます」というポップアップは操作表示部３０２には表示されない。そして、帯封紙幣投出部４８から筐体１２の外部に不足分の帯封紙幣が取り出されると、シャッター４８ａが閉じる。その後、印字部３０４によりレシートに出金情報（具体的には、出金されたバラ紙幣や帯封紙幣の金種毎の数や合計金額等）が印字されるが、この際に、図１２に示すように、１回目にシャッター２４ａやシャッター４８ａが開いたときの出金紙幣に関する情報と、２回目にシャッター４８ａが開いたときの出金紙幣に関する情報（すなわち、不足分の帯封紙幣に関する情報）が区別してレシートに印字されるようになる。そして、印字部３０４によりレシートに出金情報が印字されると、紙幣入出金装置１０におけるバラ紙幣および帯封紙幣の出金処理が完了する。なお、バラ紙幣および帯封紙幣の出金処理が完了しても、各帯封紙幣収納部７０に帯封紙幣が補充されていない場合には、操作表示部３０２において一万円の帯封紙幣の数が不足している旨のメッセージや各帯封紙幣収納部７０に一万円の帯封紙幣を補充することを操作者に促す旨のメッセージが引き続き表示されるようになる。あるいは、一万円の帯封紙幣の数が不足している旨の情報や各帯封紙幣収納部７０に一万円の帯封紙幣を補充することを操作者に促す旨の情報が通信インターフェース部３０８により上位端末等の外部装置３１０に引き続き送信されるようになっていてもよい。
【００８３】
また、本実施の形態では、帯封紙幣の出金処理が行われる際に異常検出手段８０により帯封紙幣に係る異常（例えば、帯封紙幣揚送部４６や帯封紙幣搬送部６０等における帯封紙幣の詰まり等）が検出された場合には、帯封紙幣投出部４８に払い出された帯封紙幣および異常を解除して搬送経路から回収された帯封紙幣について筐体１２の内部への戻し処理が操作者により手動で行われるようになる。具体的には、戻し処理対象の帯封紙幣が全て各帯封紙幣収納部７０から繰り出されたものである場合には、当該帯封紙幣は操作者により手動で各帯封紙幣収納部７０に戻されるようになる。一方、戻し処理対象の帯封紙幣が、金種別バラ紙幣収納部３４から搬送部１８に繰り出されたバラ紙幣が帯封部４２により帯封されたものである場合には、当該帯封紙幣の帯封が解かれてバラ紙幣とされた後に当該バラ紙幣が操作者により手動で金種別バラ紙幣収納部３４に戻されるようになる。ここで、本実施の形態の紙幣入出金装置１０では、上述したように帯封紙幣の分割出金が行われるため、異常検出手段８０により帯封紙幣に係る異常が検出された場合に、１回目の出金処理中に異常が発生して戻し処理対象となった帯封紙幣は操作者により手動で各帯封紙幣収納部７０に戻される。これに対し、２回目の出金処理中に異常が発生して戻し処理対象となった帯封紙幣は帯封が解かれてバラ紙幣とされた後に当該バラ紙幣が操作者により手動で金種別バラ紙幣収納部３４に戻される。このように、本実施の形態では、帯封紙幣収納部７０から繰り出された帯封紙幣と、金種別バラ紙幣収納部３４から繰り出されて帯封部４２により作成された帯封紙幣とを払い出すタイミングを区別して帯封紙幣投出部４８により筐体１２の外部に払い出すようになっているため、帯封紙幣投出部４８や搬送経路から回収された帯封紙幣について筐体１２の内部への戻し処理が行われる場合でも、操作者が紙幣を戻す場所を間違ってしまうことを防止することができるようになる。
【００８４】
なお、出金される五千円の帯封紙幣は、常に金種別バラ紙幣収納部３４から搬送部１８に繰り出されたバラ紙幣が帯封部４２により帯封されたものであるため、戻し処理対象となった五千円の帯封紙幣は回収されたタイミングに関わらず、帯封が解かれてバラ紙幣とされた後に当該バラ紙幣が操作者により手動で金種別バラ紙幣収納部３４に戻されるようになる。
【００８５】
また、帯封紙幣の出金処理が行われる際に異常検出手段８０により帯封紙幣に係る異常が検出された場合に、筐体１２の内部における帯封紙幣を戻す箇所が操作表示部３０２に表示されるようになっていてもよい。この際に、異常検出手段８０により異常が検出されたタイミングに応じて、操作表示部３０２に表示される、帯封紙幣投出部４８や搬送経路から回収された帯封紙幣を戻す箇所が異なるようになっている。具体的には、１回目の出金処理において異常検出手段８０により帯封紙幣に係る異常が検出された場合には、戻し処理対象の帯封紙幣を帯封紙幣収納部７０に戻す旨の画面が操作表示部３０２に表示されるようになる。一方、２回目の出金処理において異常検出手段８０により帯封紙幣に係る異常が検出された場合には、戻し処理対象の帯封紙幣の帯封を解いてバラ紙幣にした後にこのバラ紙幣を金種別バラ紙幣収納部３４に戻す旨の画面が操作表示部３０２に表示されるようになる。
【００８６】
また、上記の説明では、帯封紙幣収納部７０から繰り出された帯封紙幣と、帯封部４２により作成された帯封紙幣とを払い出すタイミングを区別して帯封紙幣投出部４８により筐体１２の外部に払い出すような例について述べたが、帯封紙幣収納部７０から繰り出された帯封紙幣と、帯封部４２により作成された帯封紙幣とを払い出すタイミングを区別する代わりに、あるいは両者のタイミングを区別することに加えて、帯封紙幣収納部７０から繰り出された帯封紙幣と、帯封部４２により作成された帯封紙幣とを払い出す場所を区別するようにしてもよい（ただし、帯封紙幣を払い出す場所が２箇所以上あることが条件となる）。この場合には、帯封紙幣の出金処理が行われる際に異常検出手段８０により帯封紙幣に係る異常が検出された際に、戻し処理対象となる帯封紙幣について筐体１２の内部への戻し処理を操作者が行うときに、操作者が紙幣を戻す場所を間違ってしまうことをより一層確実に防止することができるようになる。
【００８７】
また、本実施の形態の紙幣入出金装置１０においてバラ紙幣および帯封紙幣の出金処理が行われる際に、各帯封紙幣収納部７０に収納されている帯封紙幣について複数の金種の帯封紙幣が不足する場合には、各々の金種について金種別バラ紙幣収納部３４からバラ紙幣を搬送部１８に繰り出し、帯封部４２により帯封して帯封紙幣投出部４８により筐体１２の外部に払い出させるようになっている。この際に、例えば一万円の帯封紙幣が１束不足するとともに千円の帯封紙幣が１束不足する場合には、上側の整理一時保留部４０に一万円のバラ紙幣を集積させるとともに下側の整理一時保留部４０に千円のバラ紙幣を集積させるようにし、一万円のバラ紙幣について帯封部４２により帯封処理を行っている間に搬送部１８から下側の整理一時保留部４０に千円のバラ紙幣を送るようにする。このようにして、２つの整理一時保留部４０を用いて当該整理一時保留部４０へのバラ紙幣の集積および帯封部４２による帯封を連続的に行うようにする。また、例えば一万円の帯封紙幣が３束不足するとともに千円の帯封紙幣が１束不足する場合には、帯封部４２により３束の一万円の帯封紙幣を先に作成して帯封紙幣投出部４８により筐体１２の外部に払い出した後に、帯封部４２により１束の千円の帯封紙幣を作成して帯封紙幣投出部４８により筐体１２の外部に払い出すようにする。ここで、本実施の形態では、不足する複数の金種の各々について、各帯封紙幣収納部７０から帯封紙幣投出部４８に送られた帯封紙幣と、帯封部４２によりバラ紙幣から作成された帯封紙幣とが混在しないよう、制御部３００により各構成部材が制御されるようになる。
【００８８】
また、本実施の形態では、各金種別バラ紙幣収納部３４に収納されているバラ紙幣の在高情報および各帯封紙幣収納部７０に収納されている帯封紙幣の在高情報はそれぞれ制御部３００により管理されるようになっている。ここで、紙幣入出金装置１０においてバラ紙幣および帯封紙幣の出金処理が行われる際に、出金貨幣情報受付手段３２０が出金貨幣に係る情報を受け付けたときに、各帯封紙幣収納部７０に収納されている帯封紙幣の不足数が所定数（予め設定される数値。例えば、５〜１０束程度）以下である場合には、上述したように金種別バラ紙幣収納部３４からバラ紙幣を搬送部１８に繰り出して帯封部４２により帯封することによって不足分の帯封紙幣を帯封紙幣投出部４８から投出させるが、各帯封紙幣収納部７０に収納されている帯封紙幣の不足数が所定数を超える場合には、この帯封紙幣の金種に対応する金種別バラ紙幣収納部３４に十分な数のバラ紙幣が収納されているときでも、帯封紙幣収納部７０に収納されている帯封紙幣の数が不足している旨の警告メッセージが操作表示部３０２に表示されるようになっていてもよい。各帯封紙幣収納部７０に収納されている帯封紙幣の不足数が所定数を超えており、多く数の帯封紙幣を帯封部４２により作成しなければならない場合には、金種別バラ紙幣収納部３４からバラ紙幣を搬送部１８に繰り出して整理一時保留部４０に送る動作や帯封部４２による帯封紙幣の帯封に時間がかかってしまい、操作者を長い間待たせてしまうことになってしまうからである。この場合は、帯封紙幣の補充処理を行った上で、出金処理を完了する。
【００８９】
また、各帯封紙幣収納部７０に収納されている帯封紙幣のうち所定の金種の帯封紙幣の数が不足している旨のメッセージや各帯封紙幣収納部７０に所定の金種の帯封紙幣を補充することを操作者に促す旨のメッセージが操作表示部３０２に表示されたときに、当該金種に対応する金種別バラ紙幣収納部３４に十分な数のバラ紙幣が収納されている場合には、操作者は操作表示部３０２により、金種別バラ紙幣収納部３４からバラ紙幣を搬送部１８に繰り出して帯封部４２により帯封した後に帯封紙幣収納部７０に収納させるような整理処理を行うことを入力することができるようになる。このような整理処理が行われ、帯封紙幣収納部７０に収納される当該金種の帯封紙幣の数が予め設定されている基準量に達すると整理処理が完了する。また、帯封紙幣の補充指令が操作表示部３０２に表示されたときに、店舗の管理者が補充用の帯封紙幣を紙幣入出金装置１０に持ってきた場合には、当該管理者は筐体１２から本体部分を手前側に引き出して各帯封紙幣収納部７０に帯封紙幣を直接補充することができるようになる。あるいは、操作表示部３０２において帯封紙幣を装填する旨の指令を入力し、シャッター４８ａを開いて帯封紙幣揚送部４６のステージ４６ａ上に帯封紙幣を載置すると、このステージ４６ａ上に載置された帯封紙幣は帯封紙幣搬送部６０に１束ずつ送られて判別部６２により金種が判別された後に対応する金種の帯封紙幣収納部７０に収納されるようになる。
【００９０】
次に、本実施の形態による貨幣入出金機１の硬貨入出金装置１１０においてバラ硬貨や包装硬貨の出金処理が行われる際の動作について説明する。なお、以下に示すような動作は制御部３００が硬貨入出金装置１１０の各構成部材を制御することにより行われるようになっている。
【００９１】
硬貨入出金装置１１０においてバラ硬貨や包装硬貨の出金処理を行うにあたり、貨幣入出金機１が待機状態となっているときに操作表示部３０２に表示されるメニュー画面において「出金処理」を選択し、操作表示部３０２に表示される出金画面において出金貨幣に係る情報（具体的には、出金貨幣の金種毎の数や合計金額等の情報）を入力すると、操作表示部３０２により入力された出金貨幣に係る情報が出金貨幣情報受付手段３２０により受け付けられるようになる。例えば、出金貨幣に係る情報として、４２０枚の１００円硬貨および１００枚の１０円硬貨を出金することを操作者が操作表示部３０２により入力すると、出金貨幣が８本の１００円の包装硬貨、２０枚の１００円のバラ硬貨および２本の１０円の包装硬貨であるという情報が出金貨幣情報受付手段３２０により受け付けられるようになる。なお、出金貨幣に係る情報として操作者が出金貨幣の合計金額を操作表示部３０２により入力した場合には、制御部３００において出金貨幣の合計枚数が例えば最少構成数となるように自動算出され、この算出された値が出金貨幣情報受付手段３２０により受け付けられるようになっていてもよい。また、操作者が操作表示部３０２により出金貨幣に係る情報を入力する代わりに上位端末等の外部装置３１０から通信インターフェース部３０８を介して出金貨幣に係る情報が送信された場合にも、この送信された出金貨幣に係る情報が出金貨幣情報受付手段３２０により受け付けられるようになる。
【００９２】
出金貨幣情報受付手段３２０により受け付けられた出金貨幣の情報に包装硬貨が含まれる場合には、硬貨入出金装置１１０において包装硬貨の出金処理が行われるようになる。具体的には、１００円の包装硬貨および１０円の包装硬貨について、包装硬貨収納ユニット２００の各収納トレイ２４０に収納されている包装硬貨のうち出金されるべき包装硬貨が当該収納トレイ２４０から包装硬貨搬送ユニット２１０に繰り出され、当該包装硬貨搬送ユニット２１０により包装硬貨出金部２３０に送られる。そして、出金されるべき包装硬貨が全て包装硬貨出金部２３０に送られると当該包装硬貨出金部２３０に設けられたシャッター２３０ａが開くようになる。このようにして、操作者は包装硬貨出金部２３０から包装硬貨を筐体１１２の外部に取り出すことができるようになる。
【００９３】
また、出金貨幣情報受付手段３２０により受け付けられた出金貨幣の情報にバラ硬貨が含まれる場合には、硬貨入出金装置１１０においてバラ硬貨の出金処理が行われるようになる。具体的には、収納繰出部１５２の各収納領域１５２ａ〜１５２ｆに収納されているバラ硬貨のうち出金されるべきバラ硬貨が収納繰出部１５２の各収納領域１５２ａ〜１５２ｆから硬貨繰出部１５２ｐによりコンベア１５４に繰り出される。そして、繰り出されたバラ硬貨はコンベア１５４により出金識別部１５５に送られ、この出金識別部１５５により金種、真偽、表裏、正損、新旧、搬送状態等が識別される。その後、出金識別部１５５により正常な硬貨であると識別されたバラ硬貨はコンベア１５４から出金用シュート１５８を介して出金箱１９０に送られる。そして、出金されるべきバラ硬貨が全て出金箱１９０に送られると、図示しないロック機構による出金箱１９０のロックが解除され、操作者は出金箱１９０を筐体１１２の前面から手前側に引き出してこの出金箱１９０からバラ硬貨を取り出すことができるようになる。一方、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られるようになる。
【００９４】
また、出金されるべきバラ硬貨や包装硬貨が全て包装硬貨出金部２３０や出金箱１９０により筐体１１２の外部に投出されると、印字部３０４によりレシートに出金情報（具体的には、出金されたバラ硬貨や包装硬貨の金種毎の数や合計金額等）が印字されるようになる。
【００９５】
また、上述したバラ硬貨や包装硬貨の出金処理が行われる際に、出金貨幣情報受付手段３２０により受け付けられた情報から特定される出金されるべきある金種の包装硬貨（具体的には、例えば１００円の包装硬貨）の数が、包装硬貨収納ユニット２００の各収納トレイ２４０に収納されている当該金種の包装硬貨の数よりも多い場合には、この金種の不足分のバラ硬貨を収納繰出部１５２の各収納領域１５２ａ〜１５２ｆからコンベア１５４に繰り出して包装用シュート１５７を介して包装部１６０に送り、当該包装部１６０において所定枚数（例えば、５０枚）ずつバラ硬貨を包装することにより包装硬貨を作成し、作成された包装硬貨を包装硬貨出金部２３０により筐体１１２の外部に払い出すようになっている。また、この場合には、包装硬貨収納ユニット２００の各収納トレイ２４０から包装硬貨出金部２３０に送られた包装硬貨と、包装部１６０により作成された包装硬貨とを払い出すタイミングを区別して包装硬貨出金部２３０により筐体１１２の外部に払い出すようになっている。このような動作について以下に説明する。
【００９６】
出金貨幣に係る情報が出金貨幣情報受付手段３２０により受け付けられると、上述したように、包装硬貨収納ユニット２００の各収納トレイ２４０に収納されている包装硬貨のうち出金されるべき包装硬貨が当該収納トレイ２４０から繰り出されて包装硬貨搬送ユニット２１０により包装硬貨出金部２３０に送られるとともに収納繰出部１５２の各収納領域１５２ａ〜１５２ｆに収納されているバラ硬貨のうち出金されるべきバラ硬貨が収納繰出部１５２の各収納領域１５２ａ〜１５２ｆから繰り出されてコンベア１５４により出金箱１９０に送られる。しかしながら、前述した出金貨幣に係る情報（具体的には、４２０枚の１００円硬貨および１００枚の１０円硬貨）が受け付けられ、出金されるべき１００円の包装硬貨の数が例えば８本であるにもかかわらず包装硬貨収納ユニット２００の各収納トレイ２４０に収納されている１００円の包装硬貨の数が例えば７本であり、１００円の包装硬貨が１本不足する場合には、まず、７本の包装硬貨が包装硬貨収納ユニット２００の各収納トレイ２４０から包装硬貨搬送ユニット２１０により包装硬貨出金部２３０に送られてシャッター２３０ａが開くようになる。また、この際に、出金されるべきバラ硬貨（具体的には、２０枚のバラ硬貨）が収納繰出部１５２の各収納領域１５２ａ〜１５２ｆから出金箱１９０に送られてこの出金箱１９０のロックが解除されることにより当該出金箱１９０を筐体１１２の前面から手前側に引き出し可能となる。そして、包装硬貨出金部２３０や出金箱１９０から包装硬貨やバラ硬貨を取り出し可能となると、操作表示部３０２には包装硬貨出金部２３０や出金箱１９０から包装硬貨やバラ硬貨を取り出すことを操作者に促す旨のメッセージが表示される。この際に、図１１に示す画面と同様に、出金されるべき硬貨が分割して出金される旨のメッセージも操作表示部３０２にポップアップ表示されるようになる。このときに、分割して出金される包装硬貨の金種および数量（ここでは、１００円の包装硬貨が１本）が合わせて操作表示部３０２に表示されてもよい。そして、包装硬貨出金部２３０から筐体１１２の外部に７つの包装硬貨が取り出されるとともに出金箱１９０からバラ硬貨が取り出されると、シャッター２３０ａが一旦閉じるとともに出金箱１９０がロック機構により筐体１１２の内部でロックされるようになる。なお、包装硬貨収納ユニット２００の各収納トレイ２４０に収納されている１００円の包装硬貨の数が不足する場合には、操作表示部３０２において１００円の包装硬貨の数が不足している旨のメッセージや包装硬貨収納ユニット２００の各収納トレイ２４０に１００円の包装硬貨を補充することを操作者に促す旨のメッセージが表示されるようになっている。あるいは、１００円の包装硬貨の数が不足している旨の情報や包装硬貨収納ユニット２００の各収納トレイ２４０に１００円の包装硬貨を補充することを操作者に促す旨の情報が通信インターフェース部３０８により上位端末等の外部装置３１０に送信されるようになっていてもよい。
【００９７】
そして、シャッター２３０ａが閉じるとともに出金箱１９０がロック機構により筐体１１２の内部でロックされた後、１００円の金種が割り当てられている収納繰出部１５２の収納領域１５２ａ〜１５２ｆからバラ硬貨がコンベア１５４に繰り出され、このコンベア１５４により包装用シュート１５７を介して包装部１６０に送られる。そして、包装部１６０に所定枚数（例えば、５０枚）のバラ硬貨が集積される度に、集積された所定枚数のバラ硬貨から包装機構１６８により包装硬貨が作成され、この作成された包装硬貨が包装部１６０から包装硬貨搬送ユニット２１０に送られるようになる。そして、包装部１６０から包装硬貨搬送ユニット２１０に送られた包装硬貨は当該包装硬貨搬送ユニット２１０により包装硬貨出金部２３０に送られる。なお、不足分の包装硬貨に相当する枚数分のバラ硬貨が収納繰出部１５２の各収納領域１５２ａ〜１５２ｆに収納されていない場合には、収納繰出部１５２の収納領域１５２ａ〜１５２ｆからバラ硬貨が繰り出されず、よって包装部１６０によりバラ硬貨の包装処理が行われることもない。また、この場合には、操作表示部３０２には包装硬貨出金部２３０により筐体１１２の外部に投出される包装硬貨の数が出金されるべき包装硬貨の数よりも少ない旨のメッセージが表示されるとともに、収納繰出部１５２の収納領域１５２ａ〜１５２ｆに収納されているバラ硬貨の数も不足している旨のメッセージや収納繰出部１５２の収納領域１５２ａ〜１５２ｆにバラ硬貨を補充することを操作者に促す旨のメッセージが表示されるようになる。なお、収納繰出部１５２の収納領域１５２ａ〜１５２ｆ内のバラ硬貨を包装しても足りない場合は、出金貨幣に係る情報が受け付けられた時点で、出金貨幣が不足する旨のメッセージが操作表示部３０２に表示されるようになっていてもよい。
【００９８】
その後、不足分の包装硬貨が全て包装硬貨出金部２３０に送られると、シャッター２３０ａが再び開くようになる。そして、シャッター２３０ａが開くと、操作表示部３０２には包装硬貨出金部２３０から包装硬貨を取り出すことを操作者に促す旨のメッセージが表示される。なお、この際に、図１１に示すような「分割出金されます」というポップアップは操作表示部３０２には表示されない。そして、包装硬貨出金部２３０から筐体１１２の外部に不足分の包装硬貨が取り出されると、シャッター２３０ａが閉じる。その後、印字部３０４によりレシートに出金情報（具体的には、出金されたバラ硬貨や包装硬貨の金種毎の数や合計金額等）が印字されるが、この際に、１回目にシャッター２３０ａが開いたときの出金硬貨に関する情報と、２回目にシャッター２３０ａが開いたときの出金硬貨に関する情報（すなわち、不足分の包装硬貨に関する情報）が区別してレシートに印字されるようになる。そして、印字部３０４によりレシートに出金情報が印字されると、硬貨入出金装置１１０におけるバラ硬貨および包装硬貨の出金処理が完了する。なお、バラ硬貨および包装硬貨の出金処理が完了しても、包装硬貨収納ユニット２００の各収納トレイ２４０に包装硬貨が補充されていない場合には、操作表示部３０２において１００円の包装硬貨の数が不足している旨のメッセージや包装硬貨収納ユニット２００の各収納トレイ２４０に１００円の包装硬貨を補充することを操作者に促す旨のメッセージが引き続き表示されるようになる。あるいは、１００円の包装硬貨の数が不足している旨の情報や包装硬貨収納ユニット２００の各収納トレイ２４０に１００円の包装硬貨を補充することを操作者に促す旨の情報が通信インターフェース部３０８により上位端末等の外部装置３１０に引き続き送信されるようになっていてもよい。
【００９９】
また、本実施の形態では、包装硬貨の出金処理が行われる際に異常検出手段２８０により包装硬貨に係る異常（例えば、包装硬貨搬送ユニット２１０や包装硬貨出金部２３０等における包装硬貨の詰まり等）が検出された場合には、包装硬貨出金部２３０に払い出された包装硬貨および異常を解除して搬送経路から回収された包装硬貨について筐体１１２の内部への戻し処理が操作者により手動で行われるようになる。具体的には、戻し処理対象の包装硬貨が全て包装硬貨収納ユニット２００の各収納トレイ２４０から送り出されたものである場合には、当該包装硬貨は操作者により手動で包装硬貨収納ユニット２００の各収納トレイ２４０に戻されるようになる。一方、戻し処理対象の包装硬貨が、収納繰出部１５２の各収納領域１５２ａ〜１５２ｆからコンベア１５４に繰り出されたバラ硬貨が包装部１６０により包装されたものである場合には、当該包装硬貨の包装が解かれてバラ硬貨とされた後に当該バラ硬貨が操作者により手動で収納繰出部１５２の各収納領域１５２ａ〜１５２ｆに戻されるようになる。ここで、本実施の形態の硬貨入出金装置１１０では、上述したように包装硬貨の分割出金が行われるため、異常検出手段２８０により包装硬貨に係る異常が検出された場合に、１回目の出金処理中に異常が発生して戻し処理対象となった包装硬貨は操作者により手動で包装硬貨収納ユニット２００の各収納トレイ２４０に戻される。これに対し、２回目の出金処理中に異常が発生して戻し処理対象となった包装硬貨は包装が解かれてバラ硬貨とされた後に当該バラ硬貨が操作者により手動で収納繰出部１５２の各収納領域１５２ａ〜１５２ｆに戻される。このように、本実施の形態では、包装硬貨収納ユニット２００の各収納トレイ２４０から送り出された包装硬貨と、収納繰出部１５２の各収納領域１５２ａ〜１５２ｆから繰り出されて包装部１６０により作成された包装硬貨とを払い出すタイミングを区別して包装硬貨出金部２３０から筐体１１２の外部に払い出すようになっているため、包装硬貨出金部２３０や搬送経路から回収された包装硬貨について筐体１１２の内部への戻し処理が行われる場合でも、操作者が硬貨を戻す場所を間違ってしまうことを防止することができるようになる。
【０１００】
また、包装硬貨の出金処理が行われる際に異常検出手段２８０により包装硬貨に係る異常が検出された場合に、筐体１１２の内部における包装硬貨を戻す箇所が操作表示部３０２に表示されるようになっていてもよい。この際に、異常検出手段２８０により異常が検出されたタイミングに応じて、操作表示部３０２に表示される、包装硬貨出金部２３０や搬送経路から回収された包装硬貨を戻す箇所が異なるようになっている。具体的には、１回目の出金処理において異常検出手段２８０により包装硬貨に係る異常が検出された場合には、回収された包装硬貨を包装硬貨収納ユニット２００の収納トレイ２４０に戻す旨の画面が操作表示部３０２に表示されるようになる。一方、２回目の出金処理において異常検出手段２８０により包装硬貨に係る異常が検出された場合には、回収された包装硬貨の包装を解いてバラ硬貨にした後にこのバラ硬貨を収納繰出部１５２に戻す旨の画面が操作表示部３０２に表示されるようになる。
【０１０１】
また、上記の説明では、包装硬貨収納ユニット２００の各収納トレイ２４０から送り出された包装硬貨と、包装部１６０により作成された包装硬貨とを払い出すタイミングを区別して包装硬貨出金部２３０から筐体１１２の外部に払い出すような例について述べたが、包装硬貨収納ユニット２００の各収納トレイ２４０から送り出された包装硬貨と、包装部１６０により作成された包装硬貨とを払い出すタイミングを区別する代わりに、あるいは両者のタイミングを区別することに加えて、包装硬貨収納ユニット２００の各収納トレイ２４０から送り出された包装硬貨と、包装部１６０により作成された包装硬貨とを払い出す場所を区別するようにしてもよい。例えば、包装部１６０により作成された包装硬貨を包装硬貨出金部２３０に送る代わりに包装硬貨投出部２３６に送り、この包装硬貨投出部２３６により筐体１１２の外部に払い出すようになっていてもよい。この場合には、包装硬貨の出金処理が行われる際に異常検出手段２８０により包装硬貨に係る異常が検出された際に、戻し処理対象となる包装硬貨について筐体１１２の内部への戻し処理を操作者が行うときに、操作者が硬貨を戻す場所を間違ってしまうことをより一層確実に防止することができるようになる。
【０１０２】
また、本実施の形態では、出金貨幣情報受付手段３２０により受け付けられた情報から特定される出金されるべきある金種の包装硬貨の数から、包装硬貨収納ユニット２００の収納トレイ２４０に収納されている当該金種の包装硬貨の数を差し引いた数が所定数以上であるときには、不足分の包装硬貨を作成するために必要な数のバラ硬貨が収納繰出部１５２に収納されている場合でも、操作表示部３０２により操作者に対して警告が行われるようになっている。包装硬貨収納ユニット２００の収納トレイ２４０に収納されている包装硬貨の不足数が所定数を超えており、多くの数の包装硬貨を包装部１６０により作成しなければならない場合には、収納繰出部１５２からバラ硬貨を繰り出して包装部１６０に送る動作や包装部１６０による包装硬貨の包装に時間がかかってしまい、操作者を長い間待たせてしまうことになってしまうからである。この場合は、包装硬貨の補充処理を行った上で、出金処理を完了する。
【０１０３】
以上のような構成からなる本実施の形態の貨幣入出金機１（貨幣処理装置）およびこのような貨幣入出金機１による貨幣処理方法によれば、包装貨幣を含む出金要求を受け付けると、包装貨幣（具体的には、帯封紙幣や包装硬貨）を包装貨幣収納部（具体的には、帯封紙幣収納部７０や包装硬貨収納ユニット２００の収納トレイ２４０）から繰り出して包装貨幣払出部（具体的には、帯封紙幣投出部４８や包装硬貨出金部２３０）に送るとともに、バラ貨幣をバラ貨幣収納部（具体的には、金種別バラ紙幣収納部３４や収納繰出部１５２）から繰り出して包装貨幣作成部（具体的には、帯封部４２や包装部１６０）に送り、当該包装貨幣作成部において所定枚数ずつバラ貨幣を包装することにより包装貨幣を作成し、作成された包装貨幣を包装貨幣払出部（具体的には、帯封紙幣投出部４８や包装硬貨出金部２３０）により筐体１２、１１２の外部に払い出すことができるようになっている。ここで、特許請求の範囲における「包装貨幣」は、帯封紙幣および包装硬貨の両方を含む概念のものであり、「バラ貨幣」は、バラ紙幣およびバラ硬貨の両方を含む概念のものであり、「包装貨幣作成部」は、帯封部４２および包装部１６０の両方を含む概念のものとなっている。上記の技術的事項によれば、出金されるべきある金種の包装貨幣を出金できない場合に、出納係による要因解除処理（具体的には、例えば包装貨幣の補充処理や詰まり解除処理）を行わなくても出金要求に係る包装貨幣を筐体１２、１１２の外部に払い出すことができ、よって包装貨幣の出金処理を行う操作者を長い間待たせてしまうことを防止することができる。
【０１０４】
より詳細には、従来の貨幣入出金機において貨幣の出金処理を行うにあたり、帯封紙幣や包装硬貨等の包装貨幣を出金する際に、包装貨幣収納部に収納されている包装貨幣の数が不足する場合には、包装貨幣の補充要求が出力されるようになっていた。また、このような包装貨幣の補充要求が出力されると、包装貨幣の出金処理を行っていた係員等の操作者とは別の出納係が包装貨幣を貨幣入出金機に持ってきて当該貨幣入出金機で包装貨幣の補充処理（言い換えると、割込装填処理）を行っていた。しかしながら、この場合には、包装貨幣の出金処理を行っていた係員等の操作者は包装貨幣の補充処理が終了するまで長い間待たなければならないという問題があった。とりわけ、出納係が包装貨幣の補充処理をすぐに行うことができない場合には、包装貨幣の出金処理を行っていた係員等の操作者の待ち時間が更に長くなってしまうという問題があった。これに対し、本実施の形態による貨幣入出金機１やこのような貨幣入出金機１による貨幣処理方法では、包装貨幣を含む出金要求を受け付けると、任意で、バラ貨幣を金種別バラ紙幣収納部３４や収納繰出部１５２等のバラ貨幣収納部から繰り出して帯封部４２や包装部１６０等の包装貨幣作成部に送り、当該包装貨幣作成部において所定枚数ずつバラ貨幣を包装することにより包装貨幣を作成し、作成された包装貨幣を筐体１２、１１２の外部に払い出すことができるため、出金されるべきある金種の包装貨幣を出金できない場合に、出納係による要因解除処理を行わなくても出金貨幣を筐体１２、１１２の外部に払い出すことができ、よって上述した従来の貨幣入出金機の問題点を解消することができるようになる。
【０１０５】
また、本実施の形態による貨幣入出金機１においては、上述したように、制御部３００は、出金要求に基づいて特定される出金されるべきある金種の包装貨幣の数が、帯封紙幣収納部７０や包装硬貨収納ユニット２００の収納トレイ２４０等の包装貨幣収納部に収納されている当該金種の包装貨幣の数よりも多い場合においてのみ、この金種の不足分のバラ貨幣を金種別バラ紙幣収納部３４や収納繰出部１５２等のバラ貨幣収納部から繰り出して帯封部４２や包装部１６０等の包装貨幣作成部に送るよう各構成部材の制御を行うようになっている。
【０１０６】
また、本実施の形態による貨幣入出金機１においては、上述したように、制御部３００は、帯封紙幣収納部７０や包装硬貨収納ユニット２００の収納トレイ２４０等の包装貨幣収納部から包装貨幣払出部に送られた包装貨幣と、帯封部４２や包装部１６０等の包装貨幣作成部により作成された包装貨幣とを区別して包装貨幣払出部により筐体１２、１１２の外部に払い出すようになっている。この際に、制御部３００は、包装貨幣収納部から包装貨幣払出部に送られた包装貨幣と、包装貨幣作成部により作成された包装貨幣とを払い出すタイミングまたは払い出し箇所を互いに異なるものとするようになっている。この場合には、包装貨幣払出部により筐体１２、１１２の外部に払い出された包装貨幣について例えば包装硬貨に関する異常が生じたことにより筐体１２、１１２の内部への戻し処理が行われる場合でも、操作者が貨幣を戻す場所を間違ってしまうことを防止することができるようになる。
【０１０７】
また、本実施の形態による貨幣入出金機１においては、上述したように、包装貨幣収納部から包装貨幣払出部に送られた包装貨幣と、包装貨幣作成部により作成された包装貨幣とを区別して筐体１２、１１２の外部に払い出すことが第１報知手段により報知されるようになっている。具体的には、包装貨幣収納部から包装貨幣払出部に送られた包装貨幣が筐体１２、１１２の外部に払い出される際に、図１１に示すように出金されるべき貨幣が分割して出金される旨のメッセージが操作表示部３０２にポップアップ表示されるようになる。その後、包装貨幣作成部により作成された包装貨幣が筐体１２、１１２の外部に払い出される。このように、包装貨幣収納部から包装貨幣払出部に送られた包装貨幣と、包装貨幣作成部により作成された包装貨幣とを区別して筐体１２、１１２の外部に払い出すことを第１報知手段により報知することによって、区別された２つの種類の包装硬貨のうち一方を操作者が包装貨幣払出部から取り忘れてしまうことを防止することができる。なお、包装貨幣収納部から包装貨幣払出部に送られた包装貨幣と、包装貨幣作成部により作成された包装貨幣とを区別して筐体１２、１１２の外部に払い出すことを報知する第１報知手段は操作表示部３０２に限定されることはない。第１報知手段として、音声により操作者に対して報知を行うスピーカー等の、操作表示部３０２以外のものが用いられてもよい。
【０１０８】
また、本実施の形態による貨幣入出金機１においては、上述したように、包装貨幣に係る異常を検出する異常検出手段８０、２８０と、異常検出手段８０、２８０により異常が検出された後に当該異常が解除された場合に、筐体１２、１１２の外部に取り出された包装貨幣を当該筐体１２、１１２の内部に戻す箇所を報知する第２報知手段（具体的には、操作表示部３０２）がそれぞれ設けられており、異常検出手段８０、２８０により異常が検出されたタイミングに応じて、第２報知手段により報知される、筐体１２、１１２の外部に取り出された包装貨幣を当該筐体１２、１１２の内部に戻す箇所が異なるようになっていてもよい。なお、異常検出手段８０、２８０により異常が検出された場合に、筐体１２、１１２の外部に取り出された包装貨幣を当該筐体１２、１１２の内部に戻す箇所を報知する第２報知手段は操作表示部３０２に限定されることはない。第２報知手段として、音声により操作者に対して報知を行うスピーカー等の、操作表示部３０２以外のものが用いられてもよい。
【０１０９】
また、本実施の形態による貨幣入出金機１においては、上述したように、出金要求に基づいて特定される出金されるべきある金種の包装貨幣の数から、帯封紙幣収納部７０や包装硬貨収納ユニット２００の収納トレイ２４０等の包装貨幣収納部に収納されている当該金種の包装貨幣の数を差し引いた数が所定数以上である場合に操作表示部３０２等の警告手段により操作者に対して警告が行われるようになっている。包装貨幣収納部に収納されている包装貨幣の不足数が所定数を超えており、多くの数の包装貨幣を包装貨幣作成部により作成しなければならない場合には、バラ貨幣収納部からバラ貨幣を繰り出して包装貨幣作成部に送る動作や包装貨幣作成部による包装貨幣の作成に時間がかかってしまい、操作者を長い間待たせてしまうことになってしまうからである。なお、操作者に対して警告を行う警告手段は操作表示部３０２に限定されることはない。警告手段として、音声により操作者に対して警告を行うスピーカー等の、操作表示部３０２以外のものが用いられてもよい。
【０１１０】
また、本実施の形態による貨幣入出金機１においては、上述したように、出金要求に基づいて特定される出金されるべきある金種の包装貨幣の数が、包装貨幣収納部に収納されている当該金種の包装貨幣の数よりも多い場合において、この金種の不足分の包装貨幣に対応するバラ貨幣の数がバラ貨幣収納部に収納されている当該金種のバラ貨幣の数よりも多いときには、出金される包装貨幣の数が不足する旨の情報が操作表示部３０２等の第３報知手段により報知されるようになっている。なお、出金される包装貨幣の数が不足する旨の情報を報知する第３報知手段は操作表示部３０２に限定されることはない。第３報知手段として、音声により操作者に対して報知を行うスピーカー等の、操作表示部３０２以外のものが用いられてもよい。
【０１１１】
また、本実施の形態による貨幣入出金機１においては、上述したように、制御部３００は、出金要求に基づいて特定される出金されるべきある金種の包装貨幣の数が、包装貨幣収納部に収納されている当該金種の包装貨幣の数よりも多い場合において、この金種の不足分の包装貨幣に対応するバラ貨幣の数がバラ貨幣収納部に収納されている当該金種のバラ貨幣の数よりも多いときには、この金種の不足分のバラ貨幣をバラ貨幣収納部から繰り出して包装貨幣作成部に送るような動作を行わないようになっている。
【０１１２】
なお、本実施の形態による貨幣入出金機１やこのような貨幣入出金機１による貨幣処理方法は、上述したような態様に限定されることはなく、様々な変更を加えることができる。
【０１１３】
例えば、本発明に係る貨幣処理装置は、紙幣入出金装置１０および硬貨入出金装置１１０を組み合わせた貨幣入出金機１に限定されることはない。本発明に係る貨幣処理装置として、紙幣入出金装置１０が単体で用いられてもよく、あるいは硬貨入出金装置１１０が単体で用いられてもよい。
【０１１４】
また、上述した貨幣入出金機１および上位端末等の外部装置３１０を組み合わせることにより本発明に係る貨幣処理システムが構成されるようになっていてもよい。この場合には、上位端末等の外部装置３１０は、貨幣入出金機１の管理を行う管理装置として機能するようになる。また、上記の説明では、包装貨幣を含む出金要求を受け付けると、包装貨幣を包装貨幣収納部から繰り出して包装貨幣払出部に送るとともに、バラ貨幣をバラ貨幣収納部から繰り出して包装貨幣作成部に送り、当該包装貨幣作成部において所定枚数ずつバラ貨幣を包装することにより包装貨幣を作成し、作成された包装貨幣を包装貨幣払出部により筐体１２、１１２の外部に払い出すことができるよう、貨幣入出金機１に設けられた制御部３００が貨幣入出金機１の各構成部材の制御を行う態様について述べたが、このような貨幣入出金機１の各構成部材の制御を行う制御部が貨幣入出金機１に設けられる代わりに管理装置としての外部装置３１０に設けられるようになっていてもよい。
【０１１５】
また、本実施の形態の紙幣入出金装置１０では、帯封紙幣収納部７０において帯封紙幣の在高不足が生じた場合だけでなく、帯封紙幣の出金処理中に、帯封紙幣収納部７０や帯封紙幣搬送部６０において帯封紙幣のジャム（詰まり）が発生した場合にも、筐体１２の外部に払い出されるべき残りの帯封紙幣の束数が所定値以下であることを条件に、金種別バラ紙幣収納部３４からバラ紙幣を搬送部１８に繰り出して帯封部４２により帯封した後に帯封紙幣投出部４８により筐体１２の外部に払い出すことによって帯封紙幣の出金処理を完了させるようにしてもよい。なお、この場合には、帯封紙幣の出金処理が完了すると、帯封紙幣収納部７０や帯封紙幣搬送部６０において帯封紙幣のジャムが発生した旨の情報が操作表示部３０２に表示され、当該紙幣入出金装置１０は取引停止状態となる。
【０１１６】
また、本実施の形態の貨幣入出金機１において、包装貨幣の出金処理を行う際に、帯封紙幣収納部７０や包装硬貨収納ユニット２００の収納トレイ２４０等の包装貨幣収納部に収納されている包装貨幣で足りるか否かの判断や、足りない場合に金種別バラ紙幣収納部３４や収納繰出部１５２等のバラ貨幣収納部からバラ貨幣を繰り出して帯封部４２や包装部１６０等の包装貨幣作成部により包装することで追加出金を行うことができるか否かの判断は、出金要求が受け付けられたときに、記憶部３０６に記憶されている包装貨幣収納部やバラ貨幣収納部の在高情報と比較するタイミングで行われてもよい。あるいは、上述した各種の判断は、記憶部３０６に記憶されている包装貨幣収納部やバラ貨幣収納部の在高情報と比較するタイミングに加えて、包装貨幣収納部やバラ貨幣収納部が空状態となったタイミングを組み合わせることにより行われるようになっていてもよい。記憶部３０６に記憶されている包装貨幣収納部やバラ貨幣収納部の在高情報では足りると判断されても、出金リジェクト等が原因となり実際には包装貨幣収納部に収納されている包装貨幣やバラ貨幣収納部に収納されているバラ貨幣が足りなくなってしまう場合があるからである。
【０１１７】
また、本発明に係る貨幣処理装置として、図１３および図１４に示す紙幣処理装置が用いられてもよい。ここで、図１３は、変形例に係る紙幣処理装置の内部構成を概略的に示す概略構成図であり、図１４は、図１３に示す紙幣処理装置における制御系の構成を示す機能ブロック図である。
【０１１８】
図１３に示すように、変形例に係る紙幣処理装置３９０は、図１３（ａ）に示すようなバラ紙幣処理ユニット４００と、図１３（ｂ）に示すような束紙幣処理ユニット５００とを組み合わせたものとなっている。具体的には、バラ紙幣処理ユニット４００および束紙幣処理ユニット５００はそれぞれ略直方体形状のものとなっており、これらのバラ紙幣処理ユニット４００および束紙幣処理ユニット５００が左右に並ぶよう配置されることにより変形例に係る紙幣処理装置３９０が構成されている。バラ紙幣処理ユニット４００および束紙幣処理ユニット５００の各構成部材について以下に説明する。
【０１１９】
図１３（ａ）に示すように、バラ紙幣処理ユニット４００は略直方体形状の筐体４０２を有しており、このバラ紙幣処理ユニット４００には、外部から筐体４０２内に紙幣を投入するための紙幣投入部４１０および筐体４０２内から外部にバラ紙幣を投出するためのバラ紙幣投出部４５２がそれぞれ設けられている。紙幣投入部４１０には紙幣繰出部４１２が設けられており、外部から紙幣投入部４１０に投入されたバラ紙幣は紙幣繰出部４１２により１枚ずつ筐体４０２内に繰り出されるようになっている。また、紙幣繰出部４１２には入金搬送部４１４が接続されており、紙幣繰出部４１２により筐体４０２内に繰り出されたバラ紙幣は入金搬送部４１４により１枚ずつ搬送されるようになっている。ここで、入金搬送部４１４には入金識別部４１６が設けられており、入金搬送部４１４により搬送されるバラ紙幣は入金識別部４１６によりその金種、真偽、表裏、正損、新旧（新券／流通券、Ｅ券／Ｄ券、等）、搬送状態等が識別されるようになっている。また、入金搬送部４１４によるバラ紙幣の搬送方向における入金識別部４１６の下流側には表裏反転部４１８が設けられており、入金識別部４１６により識別された紙幣は表裏反転部４１８によりその表裏が整えられるようになっている。具体的には、表裏反転部４１８に送られたバラ紙幣のうち、例えば裏面が上側となっているバラ紙幣のみの表裏が反転されることにより、この表裏反転部４１８から出されたバラ紙幣は全て表面（おもてめん）が上側となるようになる。また、入金搬送部４１４には入金リジェクト部４２０が接続されており、入金識別部４１６により正常な紙幣ではないと識別されたバラ紙幣、すなわちリジェクト紙幣が入金搬送部４１４から入金リジェクト部４２０に送られるようになっている。入金リジェクト部４２０はバラ紙幣処理ユニット４００の筐体４０２の外部からアクセス可能となっており、操作者はこの入金リジェクト部４２０に集積されたリジェクト紙幣を手動で取り出すことができるようになっている。
【０１２０】
また、図１３（ａ）に示すように、入金搬送部４１４には複数（例えば４つ）の一時保留部４３２が接続されている。ここで、複数の一時保留部４３２は入金搬送部４１４や後述する下部搬送部４４６に対して並列に並ぶよう配設されている。入金搬送部４１４から各一時保留部４３２に搬送されたバラ紙幣は、これらの一時保留部４３２において積層状態で集積されることにより一時的に保留されるようになっている。なお、各一時保留部４３２にはそれぞれ特定の金種のバラ紙幣が一時的に保留されるようになっている。
【０１２１】
また、各一時保留部４３２に対応して複数の紙幣収納庫４４２が設けられている。ここで、各紙幣収納庫４４２には、対応する一時保留部４３２から送られたバラ紙幣が積層状態で収納されるようになっている。なお、各紙幣収納庫４４２にはそれぞれ特定の金種のバラ紙幣が収納されるようになっている。具体的には、４つの紙幣収納庫４４２において左から順に例えば一万円紙幣、五千円紙幣、二千円紙幣および千円紙幣がそれぞれ収納されるようになっている。また、各紙幣収納庫４４２にはそれぞれ紙幣繰出部４４４が設けられており、これらの紙幣収納庫４４２からバラ紙幣が１枚ずつ紙幣繰出部４４４により繰り出されるようになっている。
【０１２２】
また、図１３（ａ）に示すように、各紙幣繰出部４４４には下部搬送部４４６が接続されており、各紙幣繰出部４４４により紙幣収納庫４４２から繰り出されたバラ紙幣は下部搬送部４４６により１枚ずつ搬送されるようになっている。ここで、下部搬送部４４６には出金識別部４４８が接続されており、下部搬送部４４６により搬送されるバラ紙幣は出金識別部４４８によりその金種、真偽、表裏、正損、新旧、搬送状態等が識別されるようになっている。なお、出金識別部４４８は、バラ紙幣の金種、新旧および搬送状態のみの識別を行い、バラ紙幣の真偽、表裏、正損の識別は行わないようになっていてもよい。また、出金識別部４４８には出金搬送部４５０が接続されており、この出金識別部４４８により識別されたバラ紙幣は出金搬送部４５０により１枚ずつ搬送されるようになっている。
【０１２３】
図１３（ａ）に示すように、出金搬送部４５０にはバラ紙幣投出部４５２、出金リジェクト部４５４、２つの整理一時保留部４６０がそれぞれ接続されており、出金識別部４４８により識別されたバラ紙幣のうち、筐体４０２の外部に投出されるべきバラ紙幣は出金搬送部４５０によりバラ紙幣投出部４５２に送られてこのバラ紙幣投出部４５２に集積されるようになっている。バラ紙幣投出部４５２はバラ紙幣処理ユニット４００の筐体４０２の外部からアクセス可能となっており、操作者はこのバラ紙幣投出部４５２に集積されたバラ紙幣を手動で取り出すことができるようになっている。また、出金識別部４４８により正常な紙幣ではないと識別されたバラ紙幣、すなわちリジェクト紙幣は出金搬送部４５０により出金リジェクト部４５４に送られるようになっている。また、出金リジェクト部４５４に集積されたリジェクト紙幣を取り出すにあたり、操作者はバラ紙幣処理ユニット４００の筐体４０２に設けられた扉を開いて出金リジェクト部４５４内のリジェクト紙幣を取り出すようになっている。また、出金識別部４４８により識別されたバラ紙幣のうち、束紙幣処理ユニット５００により帯封されるべきバラ紙幣は出金搬送部４５０により各整理一時保留部４６０に送られるようになっている。各整理一時保留部４６０では、出金搬送部４５０から送られたバラ紙幣が積層状態で集積されるようになっている。また、図１３（ａ）に示すように、出金識別部４４８により識別されたバラ紙幣を出金搬送部４５０により表裏反転部４１８に送ることができるようになっており、出金搬送部４５０により表裏反転部４１８に送られたバラ紙幣は入金搬送部４１４により各一時保留部４３２に搬送されるようになっている。また、入金識別部４１６により識別されたバラ紙幣を入金搬送部４１４から各一時保留部４３２に送らずに出金搬送部４５０に直接送ることができるようになっている。
【０１２４】
図１３（ａ）に示すように、入金搬送部４１４や出金搬送部４５０における分岐箇所には分岐部材４７０がそれぞれ設けられており、これらの分岐部材４７０により分岐箇所におけるバラ紙幣の搬送先が決められるようになっている。また、入金搬送部４１４、下部搬送部４４６、出金搬送部４５０にはバラ紙幣の検出を行う紙幣検出センサ４８０が複数設けられている。また、本実施の形態では、出金搬送部４５０における、出金識別部４４８と各整理一時保留部４６０との間には、紙幣厚さ検知センサ４８２および半券検知センサ４８４がそれぞれ設けられている。また、半券検知センサ４８４は、バラ紙幣投出部４５２への入口部分である出金搬送部４５０にも設けられている。
【０１２５】
図１３（ｂ）に示すように、束紙幣処理ユニット５００は略直方体形状の筐体５０２を有しており、この束紙幣処理ユニット５００の筐体５０２内には、整理一時保留部４６０に集積された紙幣束を取り出すためのアーム部５１０と、アーム部５１０により取り出された紙幣束を帯封するための帯封部５１２とがそれぞれ設けられている。アーム部５１０により整理一時保留部４６０から取り出された紙幣束は帯封部５１２に送られて当該帯封部５１２により帯封されるようになっている。具体的には、帯封部５１２の近傍にはテープセット部５１４が設けられており、このテープセット部５１４から帯封紙が帯封部５１２に送られることによって、帯封部５１２において例えば１００枚の紙幣束が帯封紙により結束されるようになっている。帯封部５１２には第１帯封紙幣搬送部５１６が接続されており、帯封部５１２により帯封された帯封紙幣は第１帯封紙幣搬送部５１６により帯封紙幣投出部５１８に搬送されるようになっている。帯封紙幣投出部５１８は束紙幣処理ユニット５００の筐体５０２の外部からアクセス可能となっており、操作者はこの帯封紙幣投出部５１８に送られた帯封紙幣を手動で取り出すことができるようになっている。
【０１２６】
図１３（ｂ）に示すように、帯封紙幣投出部５１８にはシャッター５１８ａが設けられており、このシャッター５１８ａは、帯封紙幣投出部５１８の前面に面する開口（すなわち、帯封紙幣の出金口）をそれぞれ開閉するようになっている。そして、シャッター５１８ａにより帯封紙幣投出部５１８の開口が開かれると、操作者は帯封紙幣投出部５１８の内部にそれぞれアクセスする（具体的には、帯封紙幣投出部５１８の内部に手を入れる）ことができるようになり、当該操作者は帯封紙幣投出部５１８に集積されている帯封紙幣を筐体５０２の内部から外部に取り出すことができるようになる。このようなシャッター５１８ａはシャッター駆動部５１８ｂ（図１４参照）により駆動されるようになっている。
【０１２７】
また、図１３（ｂ）に示すように、帯封紙幣投出部５１８には第２帯封紙幣搬送部５２０やリフト部５２４が接続されている。第２帯封紙幣搬送部５２０には帯封紙幣判別部５２２が設けられており、この帯封紙幣判別部５２２は、帯封紙幣投出部５１８から第２帯封紙幣搬送部５２０に送られた帯封紙幣の金種等の判別を行うようになっている。また、第２帯封紙幣搬送部５２０には複数の帯封紙幣収納カセット５３０が接続されており、帯封部５１２により帯封された帯封紙幣のうち、帯封紙幣投出部５１８により筐体５０２の外部に投出されない帯封紙幣は第２帯封紙幣搬送部５２０により各帯封紙幣収納カセット５３０に金種別に収納されるようになっている。また、各帯封紙幣収納カセット５３０にはカセット駆動部５３２が設けられており、これらのカセット駆動部５３２により、各帯封紙幣収納カセット５３０に収納された帯封紙幣が第２帯封紙幣搬送部５２０に繰り出されるようになっている。各帯封紙幣収納カセット５３０から第２帯封紙幣搬送部５２０に繰り出された帯封紙幣は帯封紙幣投出部５１８に送られ、この帯封紙幣投出部５１８から筐体５０２の外部に投出される。また、第１帯封紙幣搬送部５１６から帯封紙幣投出部５１８に送られた帯封紙幣はリフト部５２４により図１３（ｂ）における上下方向に搬送可能となっている。ここで、リフト部５２４の下部にも回収用の開口が設けられており、リフト部５２４により下部に搬送された帯封紙幣はこの開口から筐体５０２の外部に投出可能となっている。
【０１２８】
また、束紙幣処理ユニット５００には、第１帯封紙幣搬送部５１６、帯封紙幣投出部５１８、第２帯封紙幣搬送部５２０、リフト部５２４等における帯封紙幣に係る異常（具体的には、帯封紙幣の詰まり等の異常）を検出する異常検出手段５８０（図１４参照）が設けられている。
【０１２９】
また、図１３に示すような変形例に係る紙幣処理装置３９０には、当該紙幣処理装置３９０のバラ紙幣処理ユニット４００および束紙幣処理ユニット５００の各構成部材の制御を行う制御部６００が設けられている。より詳細には、図１４に示すように、制御部６００にはバラ紙幣処理ユニット４００の各構成部材（具体的には、紙幣繰出部４１２、入金搬送部４１４、入金識別部４１６、表裏反転部４１８、一時保留部４３２、紙幣繰出部４４４、下部搬送部４４６、出金識別部４４８、出金搬送部４５０、分岐部材４７０、各種センサ４８０、４８２、４８４）および束紙幣処理ユニット５００の各構成部材（具体的には、アーム部５１０、帯封部５１２、テープセット部５１４、第１帯封紙幣搬送部５１６、帯封紙幣投出部５１８に設けられたシャッター５１８ａを開閉するためのシャッター駆動部５１８ｂ、第２帯封紙幣搬送部５２０、帯封紙幣判別部５２２、リフト部５２４、カセット駆動部５３２、異常検出手段５８０）がそれぞれ接続されている。そして、バラ紙幣処理ユニット４００の入金識別部４１６や出金識別部４４８によるバラ紙幣の識別結果に係る情報や、各種センサ４８０、４８２、４８４によるバラ紙幣の検知結果に係る情報、帯封紙幣判別部５２２による帯封紙幣の金種等の判別結果に係る情報、ならびに異常検出手段５８０による検出結果等が制御部６００に送られるようになっている。また、制御部６００は、バラ紙幣処理ユニット４００および束紙幣処理ユニット５００の各構成部材に指令信号を送ることによりこれらの構成部材の制御を行うようになっている。
【０１３０】
また、図１４に示すように、変形例に係る紙幣処理装置３９０において、制御部６００には表示部６１２、操作部６１４、記憶部６１６、印字部６１８および通信インターフェース部６２０がそれぞれ接続されている。表示部６１２は例えばバラ紙幣処理ユニット４００の筐体４０２や束紙幣処理ユニット５００の筐体５０２の前面や上面に設けられたモニタ等からなり、バラ紙幣処理ユニット４００や束紙幣処理ユニット５００による紙幣の処理状況や、各紙幣収納庫４４２に収納されているバラ紙幣の在高等に関する情報、および各帯封紙幣収納カセット５３０に収納されている帯封紙幣の在高等に関する情報が表示部６１２に表示されるようになっている。また、操作部６１４は例えばキーボードや操作キー等からなり、操作者はこの操作部６１４により制御部６００に対して様々な指令を与えることができるようになっている。なお、表示部６１２および操作部６１４がそれぞれ設けられる代わりに、表示部６１２および操作部６１４の機能が一体化されたタッチパネル等の操作表示部がバラ紙幣処理ユニット４００の筐体４０２や束紙幣処理ユニット５００の筐体５０２の前面や上面に設けられていてもよい。
【０１３１】
記憶部６１６には、バラ紙幣処理ユニット４００や束紙幣処理ユニット５００による紙幣の処理履歴や、各紙幣収納庫４４２に収納されているバラ紙幣の在高等に関する情報、および各帯封紙幣収納カセット５３０に収納されている帯封紙幣の在高等に関する情報が記憶されるようになっており、これらの情報は随時更新される。また、印字部６１８は、バラ紙幣処理ユニット４００や束紙幣処理ユニット５００による紙幣の処理履歴や、各紙幣収納庫４４２に収納されているバラ紙幣の在高等に関する情報、および各帯封紙幣収納カセット５３０に収納されている帯封紙幣の在高等に関する情報をレシート等に印字するようになっている。また、制御部６００は通信インターフェース部６２０を介して変形例に係る紙幣処理装置３９０とは別に設けられた外部装置６２２（具体的には、例えば上位端末）に対して信号の送受信を行うことができるようになっている。
【０１３２】
また、図１３および図１４に示すような変形例に係る紙幣処理装置３９０では、出金貨幣に係る情報を受け付ける出金貨幣情報受付手段６３０が制御部６００に接続されている。出金貨幣情報受付手段６３０は、操作者によって操作部６１４により入力された出金貨幣の金種毎の数や合計金額等の情報や、上位端末等の外部装置６２２から通信インターフェース部６２０を介して送られた出金貨幣の金種毎の数や合計金額等の情報に基づいて、出金貨幣に係る情報を受け付けるようになっている。このような出金貨幣情報受付手段６３０は、上述した貨幣入出金機１に設けられている出金貨幣情報受付手段３２０と同様の機能を果たすようになっている。
【０１３３】
次に、図１３および図１４に示すような変形例に係る紙幣処理装置３９０においてバラ紙幣や帯封紙幣の出金処理が行われる際の動作について説明する。なお、以下に示すような動作は制御部６００が紙幣処理装置３９０の各構成部材を制御することにより行われるようになっている。
【０１３４】
紙幣処理装置３９０においてバラ紙幣や帯封紙幣の出金処理を行うにあたり、紙幣処理装置３９０が待機状態となっているときに表示部６１２に表示されるメニュー画面において「出金処理」を操作部６１４により選択し、この操作部６１４により出金紙幣に係る情報（具体的には、出金紙幣の金種毎の数や合計金額等の情報）を入力すると、操作部６１４により入力された出金紙幣に係る情報が出金貨幣情報受付手段６３０により受け付けられるようになる。なお、出金紙幣に係る情報として操作者が出金紙幣の合計金額を操作部６１４により入力した場合には、制御部６００において出金紙幣の合計枚数が例えば最少構成数となるように自動算出され、この算出された値が出金貨幣情報受付手段６３０により受け付けられるようになっていてもよい。また、操作者が操作部６１４により出金紙幣に係る情報を入力する代わりに上位端末等の外部装置６２２から通信インターフェース部６２０を介して出金紙幣に係る情報が送信された場合にも、この送信された出金紙幣に係る情報が出金貨幣情報受付手段６３０により受け付けられるようになる。
【０１３５】
出金貨幣情報受付手段６３０により受け付けられた出金紙幣の情報に帯封紙幣が含まれる場合には、紙幣処理装置３９０において帯封紙幣の出金処理が行われるようになる。具体的には、各帯封紙幣収納カセット５３０に収納されている帯封紙幣のうち出金されるべき帯封紙幣が当該帯封紙幣収納カセット５３０から第２帯封紙幣搬送部５２０に繰り出され、この繰り出された帯封紙幣は第２帯封紙幣搬送部５２０により帯封紙幣投出部５１８に送られる。この際に、第２帯封紙幣搬送部５２０により搬送される帯封紙幣の金種等が帯封紙幣判別部５２２により判別される。そして、出金されるべき帯封紙幣が全て帯封紙幣投出部５１８に集積されるとこの帯封紙幣投出部５１８に設けられているシャッター５１８ａが開くようになる。このようにして、操作者は帯封紙幣投出部５１８から帯封紙幣を筐体５０２の外部に取り出すことができるようになる。
【０１３６】
また、出金貨幣情報受付手段６３０により受け付けられた出金貨幣の情報にバラ紙幣が含まれる場合には、紙幣処理装置３９０においてバラ紙幣の出金処理が行われるようになる。具体的には、各紙幣収納庫４４２に収納されているバラ紙幣のうち出金されるべきバラ紙幣が当該紙幣収納庫４４２から紙幣繰出部４４４により下部搬送部４４６に繰り出され、この下部搬送部４４６から出金搬送部４５０に送られる。そして、出金搬送部４５０によりバラ紙幣は出金識別部４４８に送られ、この出金識別部４４８により金種、真偽、表裏、正損、新旧、搬送状態等が識別された後、出金識別部４４８により正常な紙幣であると識別されたバラ紙幣は出金搬送部４５０によりバラ紙幣投出部４５２に送られ、このバラ紙幣投出部４５２に集積される。一方、出金識別部４４８により正常な紙幣ではないと識別されたバラ紙幣（例えば、搬送異常のバラ紙幣）は出金搬送部４５０により出金リジェクト部４５４に送られ、この出金リジェクト部４５４に集積されるようになる。そして、出金されるべきバラ紙幣が全てバラ紙幣投出部４５２に集積されると、操作者はバラ紙幣投出部４５２からバラ紙幣を筐体４０２の外部に取り出すことができるようになる。
【０１３７】
また、上述したバラ紙幣および帯封紙幣の出金処理が行われる際に、出金貨幣情報受付手段６３０により受け付けられた情報から特定される出金されるべきある金種の帯封紙幣の数が、各帯封紙幣収納カセット５３０に収納されている当該金種の帯封紙幣の数よりも多い場合には、この金種の不足分のバラ紙幣を紙幣収納庫４４２から下部搬送部４４６に繰り出してこの下部搬送部４４６および出金搬送部４５０により整理一時保留部４６０に送る。そして、整理一時保留部４６０に所定枚数（例えば、１００枚）のバラ紙幣が集積されると、整理一時保留部４６０に集積されているバラ紙幣の束をアーム部５１０により帯封部５１２に送り、当該帯封部５１２においてバラ紙幣を帯封することにより帯封紙幣を作成し、作成された帯封紙幣を帯封紙幣投出部５１８により筐体５０２の外部に払い出すようになっている。また、この場合には、帯封紙幣収納カセット５３０から帯封紙幣投出部５１８に送られた帯封紙幣と、帯封部５１２により作成された帯封紙幣とを払い出すタイミングを区別して帯封紙幣投出部５１８により筐体５０２の外部に払い出すようになっている。このような動作について以下に説明する。
【０１３８】
出金紙幣に係る情報が出金貨幣情報受付手段６３０により受け付けられると、各帯封紙幣収納カセット５３０に収納されている帯封紙幣のうち出金されるべき帯封紙幣が当該帯封紙幣収納カセット５３０から繰り出されて帯封紙幣投出部５１８に送られるとともに各紙幣収納庫４４２に収納されているバラ紙幣のうち出金されるべきバラ紙幣が当該紙幣収納庫４４２から繰り出されてバラ紙幣投出部４５２に送られる。しかしながら、出金されるべき一万円の帯封紙幣の数が例えば４束であるにもかかわらず各帯封紙幣収納カセット５３０に収納されている一万円の帯封紙幣の数が例えば３束であり、一万円の帯封紙幣が１束不足する場合には、まず、３束の帯封紙幣が各帯封紙幣収納カセット５３０から帯封紙幣投出部５１８に送られてシャッター５１８ａが開くようになる。また、この際に、出金されるべきバラ紙幣が各紙幣収納庫４４２からバラ紙幣投出部４５２に送られてこのバラ紙幣投出部４５２に集積される。そして、シャッター５１８ａが開くと、表示部６１２にはバラ紙幣投出部４５２や帯封紙幣投出部５１８からバラ紙幣や帯封紙幣を取り出すことを操作者に促す旨のメッセージが表示される。この際に、図１１に示す画面と同様に、出金されるべき紙幣が分割して出金される旨のメッセージも表示部６１２にポップアップ表示されるようになる。このときに、分割して出金される帯封紙幣の金種および数量（ここでは、一万円の帯封紙幣が１束）が合わせて表示部６１２に表示されてもよい。そして、帯封紙幣投出部５１８から筐体５０２の外部に３束の帯封紙幣が取り出されるとともにバラ紙幣投出部４５２からバラ紙幣が取り出されると、シャッター５１８ａが一旦閉じる。このように、出金されるべき紙幣が分割して出金される旨のメッセージが表示部６１２にポップアップ表示されることにより、後述するように帯封部５１２により作成された帯封紙幣を操作者が帯封紙幣投出部５１８から取り忘れてしまうことを防止することができる。なお、各帯封紙幣収納カセット５３０に収納されている一万円の帯封紙幣の数が不足する場合には、表示部６１２において一万円の帯封紙幣の数が不足している旨のメッセージや各帯封紙幣収納カセット５３０に一万円の帯封紙幣を補充することを操作者に促す旨のメッセージが表示されるようになっている。あるいは、一万円の帯封紙幣の数が不足している旨の情報や各帯封紙幣収納カセット５３０に一万円の帯封紙幣を補充することを操作者に促す旨の情報が通信インターフェース部６２０により上位端末等の外部装置６２２に送信されるようになっていてもよい。
【０１３９】
そして、シャッター５１８ａが閉じた後、一万円紙幣の金種が割り当てられている紙幣収納庫４４２からバラ紙幣が下部搬送部４４６に繰り出され、下部搬送部４４６および出金搬送部４５０により整理一時保留部４６０に送られる。そして、整理一時保留部４６０に所定枚数（例えば、１００枚）のバラ紙幣が集積される度に、当該整理一時保留部４６０に集積されたバラ紙幣の束がアーム部５１０により帯封部５１２に送られ、当該帯封部５１２においてバラ紙幣が帯封されることにより帯封紙幣が作成される。そして、帯封部５１２により作成された帯封紙幣は帯封紙幣投出部５１８に集積されるようになる。なお、不足分の帯封紙幣の枚数分のバラ紙幣が紙幣収納庫４４２に収納されていない場合には、当該紙幣収納庫４４２からバラ紙幣が下部搬送部４４６に繰り出されず、よって帯封部５１２によりバラ紙幣の帯封処理が行われることもない。また、この場合には、表示部６１２には帯封紙幣投出部５１８により筐体５０２の外部に投出される帯封紙幣の数が出金されるべき帯封紙幣の数よりも少ない旨のメッセージが表示されるとともに、紙幣収納庫４４２に収納されているバラ紙幣の数も不足している旨のメッセージや紙幣収納庫４４２にバラ紙幣を補充することを操作者に促す旨のメッセージが表示されるようになる。なお、紙幣収納庫４４２内のバラ紙幣を帯封しても足りない場合は、出金紙幣に係る情報が受け付けられた時点で、出金紙幣が不足する旨のメッセージが表示部６１２に表示されるようになっていてもよい。
【０１４０】
その後、不足分の帯封紙幣が全て帯封紙幣投出部５１８に集積されると、シャッター５１８ａが再び開くようになる。そして、シャッター５１８ａが開くと、表示部６１２には帯封紙幣投出部５１８から帯封紙幣を取り出すことを操作者に促す旨のメッセージが表示される。なお、この際に、図１１に示すような「分割出金されます」というポップアップは表示部６１２には表示されない。そして、帯封紙幣投出部５１８から筐体５０２の外部に不足分の帯封紙幣が取り出されると、シャッター５１８ａが閉じる。その後、印字部６１８によりレシートに出金情報（具体的には、出金されたバラ紙幣や帯封紙幣の金種毎の数や合計金額等）が印字されるが、この際に、１回目にシャッター５１８ａが開いたときの出金紙幣に関する情報と、２回目にシャッター５１８ａが開いたときの出金紙幣に関する情報（すなわち、不足分の帯封紙幣に関する情報）が区別してレシートに印字されるようになる。そして、印字部６１８によりレシートに出金情報が印字されると、紙幣処理装置３９０におけるバラ紙幣および帯封紙幣の出金処理が完了する。なお、バラ紙幣および帯封紙幣の出金処理が完了しても、各帯封紙幣収納カセット５３０に帯封紙幣が補充されていない場合には、表示部６１２において一万円の帯封紙幣の数が不足している旨のメッセージや各帯封紙幣収納カセット５３０に一万円の帯封紙幣を補充することを操作者に促す旨のメッセージが引き続き表示されるようになる。あるいは、一万円の帯封紙幣の数が不足している旨の情報や各帯封紙幣収納カセット５３０に一万円の帯封紙幣を補充することを操作者に促す旨の情報が通信インターフェース部６２０により上位端末等の外部装置６２２に引き続き送信されるようになっていてもよい。
【０１４１】
また、図１３および図１４に示すような変形例に係る紙幣処理装置３９０では、帯封紙幣の出金処理が行われる際に異常検出手段５８０により帯封紙幣に係る異常（例えば、第１帯封紙幣搬送部５１６や帯封紙幣投出部５１８、第２帯封紙幣搬送部５２０等における帯封紙幣の詰まり等）が検出された場合には、帯封紙幣投出部５１８から筐体５０２の外部に払い出された帯封紙幣および異常を解除して搬送経路から回収された帯封紙幣について筐体５０２の内部への戻し処理が操作者により手動で行われるようになる。具体的には、戻し処理対象の帯封紙幣が全て各帯封紙幣収納カセット５３０から送り出されたものである場合には、当該帯封紙幣は操作者により手動で各帯封紙幣収納カセット５３０に戻されるようになる。一方、戻し処理対象の帯封紙幣が、紙幣収納庫４４２から下部搬送部４４６に繰り出されたバラ紙幣が帯封部５１２により帯封されたものである場合には、当該帯封紙幣の帯封が解かれてバラ紙幣とされた後に当該バラ紙幣が操作者により手動で紙幣収納庫４４２に戻されるようになる。ここで、図１３および図１４に示すような変形例に係る紙幣処理装置３９０では、上述したように帯封紙幣の分割出金が行われるため、異常検出手段５８０により帯封紙幣に係る異常が検出された場合に、１回目の出金処理中に異常が発生して戻し処理対象となった帯封紙幣は操作者により手動で各帯封紙幣収納カセット５３０に戻される。これに対し、２回目の出金処理中に異常が発生して戻し処理対象となった帯封紙幣は帯封が解かれてバラ紙幣とされた後に当該バラ紙幣が操作者により手動で紙幣収納庫４４２に戻される。このように、図１３および図１４に示すような変形例に係る紙幣処理装置３９０では、帯封紙幣収納カセット５３０から送り出された帯封紙幣と、紙幣収納庫４４２から繰り出されて帯封部５１２により作成された帯封紙幣とを払い出すタイミングを区別して帯封紙幣投出部５１８により筐体５０２の外部に払い出すようになっているため、帯封紙幣投出部５１８から筐体５０２の外部に払い出された帯封紙幣や異常を解除して搬送経路から回収された帯封紙幣について筐体５０２の内部への戻し処理が行われる場合でも、操作者が紙幣を戻す場所を間違ってしまうことを防止することができるようになる。
【０１４２】
また、帯封紙幣の出金処理が行われる際に異常検出手段５８０により帯封紙幣に係る異常が検出された場合に、筐体５０２の内部における帯封紙幣を戻す箇所が表示部６１２に表示されるようになっていてもよい。この際に、異常検出手段５８０により異常が検出されたタイミングに応じて、表示部６１２に表示される、帯封紙幣投出部５１８から筐体５０２の外部に払い出された帯封紙幣や異常を解除して搬送経路から回収された帯封紙幣を戻す箇所が異なるようになっている。具体的には、１回目の出金処理において異常検出手段５８０により帯封紙幣に係る異常が検出された場合には、戻し処理対象の帯封紙幣を帯封紙幣収納カセット５３０に戻す旨の画面が表示部６１２に表示されるようになる。一方、２回目の出金処理において異常検出手段５８０により帯封紙幣に係る異常が検出された場合には、戻し処理対象の帯封紙幣の帯封を解いてバラ紙幣にした後にこのバラ紙幣を紙幣収納庫４４２に戻す旨の画面が表示部６１２に表示されるようになる。
【０１４３】
また、上記の説明では、帯封紙幣収納カセット５３０から送り出された帯封紙幣と、帯封部５１２により作成された帯封紙幣とを払い出すタイミングを区別して帯封紙幣投出部５１８により筐体５０２の外部に払い出すような例について述べたが、帯封紙幣収納カセット５３０から送り出された帯封紙幣と、帯封部５１２により作成された帯封紙幣とを払い出すタイミングを区別する代わりに、あるいは両者のタイミングを区別することに加えて、帯封紙幣収納カセット５３０から送り出された帯封紙幣と、帯封部５１２により作成された帯封紙幣とを払い出す場所を区別するようにしてもよい。例えば、帯封部５１２により作成された帯封紙幣を帯封紙幣投出部５１８から筐体５０２の外部に払い出す代わりにリフト部５２４によって筐体５０２の前面下部に設けられた回収用の開口に送り、この開口から筐体５０２の外部に払い出してもよい。この場合には、帯封紙幣の出金処理が行われる際に異常検出手段５８０により帯封紙幣に係る異常が検出された際に、戻し対象となる帯封紙幣について筐体５０２の内部への戻し処理を操作者が行うときに、操作者が紙幣を戻す場所を間違ってしまうことをより一層確実に防止することができるようになる。
【０１４４】
また、図１３および図１４に示すような変形例に係る紙幣処理装置３９０においてバラ紙幣および帯封紙幣の出金処理が行われる際に、各帯封紙幣収納カセット５３０に収納されている帯封紙幣について複数の金種の帯封紙幣が不足する場合には、各々の金種について紙幣収納庫４４２からバラ紙幣を下部搬送部４４６に繰り出し、帯封部５１２により帯封して帯封紙幣投出部５１８により筐体５０２の外部に払い出させるようになっている。この際に、例えば一万円の帯封紙幣が１束不足するとともに千円の帯封紙幣が１束不足する場合には、上側の整理一時保留部４６０に一万円のバラ紙幣を集積させるとともに下側の整理一時保留部４６０に千円のバラ紙幣を集積させるようにし、一万円のバラ紙幣について帯封部５１２により帯封処理を行っている間に出金搬送部４５０から下側の整理一時保留部４６０に千円のバラ紙幣を送るようにする。このようにして、２つの整理一時保留部４６０を用いて当該整理一時保留部４６０へのバラ紙幣の集積および帯封部５１２による帯封を連続的に行うようにする。また、例えば一万円の帯封紙幣が３束不足するとともに千円の帯封紙幣が１束不足する場合には、帯封部５１２により３束の一万円の帯封紙幣を先に作成して帯封紙幣投出部５１８により筐体５０２の外部に払い出した後に、帯封部５１２により１束の千円の帯封紙幣を作成して帯封紙幣投出部５１８により筐体５０２の外部に払い出すようにする。このような運用が行われる場合は、不足する複数の金種の各々について、各帯封紙幣収納カセット５３０から帯封紙幣投出部５１８に送られた帯封紙幣と、帯封部５１２によりバラ紙幣から作成された帯封紙幣とが混在しないよう、制御部６００により各構成部材が制御されるようになる。
【０１４５】
また、図１３および図１４に示すような変形例に係る紙幣処理装置３９０では、各紙幣収納庫４４２に収納されているバラ紙幣の在高情報および各帯封紙幣収納カセット５３０に収納されている帯封紙幣の在高情報はそれぞれ制御部６００により管理されるようになっている。ここで、紙幣処理装置３９０においてバラ紙幣および帯封紙幣の出金処理が行われる際に、出金貨幣情報受付手段６３０が出金紙幣に係る情報を受け付けたときに、各帯封紙幣収納カセット５３０に収納されている帯封紙幣の不足数が所定数以下である場合には、上述したように紙幣収納庫４４２からバラ紙幣を下部搬送部４４６に繰り出して帯封部５１２により帯封することによって不足分の帯封紙幣を帯封紙幣投出部５１８から投出させるが、各帯封紙幣収納カセット５３０に収納されている帯封紙幣の不足数が所定数を超える場合には、この帯封紙幣の金種に対応する紙幣収納庫４４２に十分な数のバラ紙幣が収納されているときでも、帯封紙幣収納カセット５３０に収納されている帯封紙幣の数が不足している旨の警告メッセージが表示部６１２に表示されるようになっていてもよい。各帯封紙幣収納カセット５３０に収納されている帯封紙幣の不足数が所定数を超えており、多く数の帯封紙幣を帯封部５１２により作成しなければならない場合には、紙幣収納庫４４２からバラ紙幣を下部搬送部４４６に繰り出して整理一時保留部４６０に送る動作や帯封部５１２による帯封紙幣の帯封に時間がかかってしまい、操作者を長い間待たせてしまうことになってしまうからである。
【０１４６】
また、各帯封紙幣収納カセット５３０に収納されている帯封紙幣のうち所定の金種の帯封紙幣の数が不足している旨のメッセージや各帯封紙幣収納カセット５３０に所定の金種の帯封紙幣を補充することを操作者に促す旨のメッセージが表示部６１２に表示されたときに、当該金種に対応する紙幣収納庫４４２に十分な数のバラ紙幣が収納されている場合には、操作者は操作部６１４により、紙幣収納庫４４２からバラ紙幣を下部搬送部４４６に繰り出して帯封部５１２により帯封した後に帯封紙幣収納カセット５３０に収納させるような整理処理を行うことを入力することができるようになる。このような整理処理が行われ、帯封紙幣収納カセット５３０に収納される当該金種の帯封紙幣の数が予め設定されている基準量に達すると整理処理が完了する。また、帯封紙幣の補充指令が表示部６１２に表示されたときに、店舗の管理者が帯封紙幣を紙幣処理装置３９０に持ってきた場合には、当該管理者は束紙幣処理ユニット５００の筐体５０２から本体部分を手前側に引き出して各帯封紙幣収納カセット５３０に帯封紙幣を直接補充することができるようになる。あるいは、操作部６１４において帯封紙幣を装填する旨の指令を入力し、シャッター５１８ａを開いて帯封紙幣投出部５１８に帯封紙幣を投入すると、帯封紙幣投出部５１８に投入された帯封紙幣は第２帯封紙幣搬送部５２０に１束ずつ送られて帯封紙幣判別部５２２により金種が判別された後に対応する金種の帯封紙幣収納カセット５３０に収納されるようになる。
【０１４７】
以上のように、図１３および図１４に示すような変形例に係る紙幣処理装置３９０でも、図１乃至図１２に示すような貨幣入出金機１の紙幣入出金装置１０と同様に、包装貨幣（具体的には、帯封紙幣）を含む出金要求を受け付けると、帯封紙幣を包装貨幣収納部（具体的には、帯封紙幣収納カセット５３０）から繰り出して包装貨幣払出部（具体的には、帯封紙幣投出部５１８）に送るとともに、バラ貨幣（具体的には、バラ紙幣）をバラ貨幣収納部（具体的には、紙幣収納庫４４２）から繰り出して包装貨幣作成部（具体的には、帯封部５１２）に送り、当該包装貨幣作成部において所定枚数ずつバラ貨幣を包装することにより包装貨幣を作成し、作成された包装貨幣を包装貨幣払出部（具体的には、帯封紙幣投出部５１８）により筐体５０２の外部に払い出すことができるようになっている。このような技術的事項によれば、出金されるべきある金種の帯封紙幣を出金できない場合に、出納係による要因解除処理（具体的には、例えば帯封紙幣の補充処理や詰まり解除処理）を行わなくても出金要求に係る帯封紙幣を筐体５０２の外部に払い出すことができ、よって帯封紙幣の出金処理を行う操作者を長い間待たせてしまうことを防止することができる。
【符号の説明】
【０１４８】
１        貨幣入出金機
１０      紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      混合バラ紙幣収納部
３２ａ    ステージ
３２ｂ    紙幣繰入部
３４      金種別バラ紙幣収納部
３４ａ    ステージ
３４ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
６０      帯封紙幣搬送部
６０ａ    突起
６０ｂ    循環ベルト
６２      判別部
７０      帯封紙幣収納部
７０ａ    ステージ
８０      異常検出手段
１１０    硬貨入出金装置
１１２    筐体
１１４、１１５  前扉
１２０    入金繰出部
１２１    硬貨投入口
１２２    供給円盤
１２４    回転円盤
１２６    繰出機構
１２８    入金搬送部
１２９    入金識別部
１３０    リジェクト選別部
１３１    入金リジェクト用シュート
１３４    任意選別部
１３６、１３６ａ〜１３６ｆ  金種別選別部
１３８    入金リジェクト部
１４０    入金一時保留部
１４２    任意一時保留部
１４４    金種別一時保留部
１４４ａ〜１４４ｆ  保留領域
１４５    第１駆動機構
１４６    底部材
１４７    第２駆動機構
１５０    排出部
１５０ａ  返却箱
１５２    収納繰出部
１５２ａ〜１５２ｆ  収納領域
１５２ｐ  硬貨繰出部
１５４    コンベア
１５５    出金識別部
１５６    出金リジェクト箱
１５７    包装用シュート
１５８    出金用シュート
１６０    包装部
１６２    回転円盤
１６３    コンベア
１６４    排出シュート
１６５    包装硬貨用シュート
１６７    横搬送部
１６８    包装機構
１６８ａ  包装ローラ
１６９    切換部材
１７０    シュート機構
１７２    上部シュート
１７４    貯留用シュート
１７４ａ  排出側開口
１７５    貯留袋
１７６    包装用シュート
１７８    分岐部材
１９０    出金箱
１９０ａ  取っ手
１９２    シャッタ部材
１９４    出金リジェクト用シュート
１９６    分岐部材
１９７    端数硬貨収納箱
１９８    バラ硬貨一括収納箱
２００    包装硬貨収納ユニット
２０４    ストッパ機構
２０４ａ  ストッパ部分
２１０    包装硬貨搬送ユニット
２１２    プーリ
２１４    循環ベルト
２１６    突起
２１８、２１９、２２０  分岐部材
２３０    包装硬貨出金部
２３０ａ  シャッター
２３０ｂ  シャッター駆動部
２３２    包装硬貨一括収納箱
２３６    包装硬貨投出部
２３８    包装硬貨投出用シュート
２４０    収納トレイ
２８０    異常検出手段
３００    制御部
３０２    操作表示部
３０４    印字部
３０６    記憶部
３０８    通信インターフェース部
３１０    外部装置
３２０    出金貨幣情報受付手段
３９０    紙幣処理装置
４００    バラ紙幣処理ユニット
４０２    筐体
４１０    紙幣投入部
４１２    紙幣繰出部
４１４    入金搬送部
４１６    入金識別部
４１８    表裏反転部
４２０    入金リジェクト部
４３２    一時保留部
４４２    紙幣収納庫
４４４    紙幣繰出部
４４６    下部搬送部
４４８    出金識別部
４５０    出金搬送部
４５２    バラ紙幣投出部
４５４    出金リジェクト部
４６０    整理一時保留部
４７０    分岐部材
４８０    紙幣検出センサ
４８２    紙幣厚さ検知センサ
４８４    半券検知センサ
５００    束紙幣処理ユニット
５０２    筐体
５１０    アーム部
５１２    帯封部
５１４    テープセット部
５１６    第１帯封紙幣搬送部
５１８    帯封紙幣投出部
５１８ａ  シャッター
５１８ｂ  シャッター駆動部
５２０    第２帯封紙幣搬送部
５２２    帯封紙幣判別部
５２４    リフト部
５３０    帯封紙幣収納カセット
５３２    カセット駆動部
５８０    異常検出手段
６００    制御部
６１２    表示部
６１４    操作部
６１６    記憶部
６１８    印字部
６２０    通信インターフェース部
６２２    外部装置
６３０    出金貨幣情報受付手段
【図１】
0006653594.tif 000002
【図２】
0006653594.tif 000003
【図３】
0006653594.tif 000004
【図４】
0006653594.tif 000005
【図５】
0006653594.tif 000006
【図６】
0006653594.tif 000007
【図７】
0006653594.tif 000008
【図８】
0006653594.tif 000009
【図９】
0006653594.tif 000010
【図１０】
0006653594.tif 000011
【図１１】
0006653594.tif 000012
【図１２】
0006653594.tif 000013
【図１３】
0006653594.tif 000014
【図１４】
0006653594.tif 000015